(57)【要約】【課題】本発明の敷き寝具によれば、顔面を９０度横に傾けることなく、楽に呼吸できる状態で、長時間快適な腹臥位姿勢を維持することができる敷き寝具を提供すること。【解決手段】所定の長さを有する第１の部分と第２の部分を備える敷き寝具であって、前記第１の部分と第２の部分は、互いに別体であり、それぞれ、前記所定の長さの方向に沿って窪んだ凹部を有する本体と該凹部内に収容されるブロック体とを備えており、  前記ブロック体は、前記本体よりも低い硬度、または低反発弾性率のいずれか一方を有しており、前記第１の部分と前記第２の部分は、前記第１の部分の前記ブロック体と前記第２の部分の前記ブロック体が互いに対向する位置にあるように配置される、敷き寝具。【選択図】図１
2010110620.tif 000002
【特許請求の範囲】
【請求項１】
所定の長さを有する第１の部分と第２の部分を備える敷き寝具であって、前記第１の部分と第２の部分は、互いに別体であり、それぞれ、前記所定の長さの方向に沿って窪んだ凹部を有する本体と該凹部内に収容されるブロック体とを備えており、
前記ブロック体は、前記本体よりも低い硬度、または低反発弾性率のいずれか一方を有しており、前記第１の部分と前記第２の部分は、前記第１の部分の前記ブロック体と前記第２の部分の前記ブロック体が互いに対向する位置にあるように配置される、敷き寝具。
【請求項２】
請求項１に記載の敷き寝具であって、前記第１の部分と第２の部分は、それぞれ、所定の幅を有しており、前記第１の部分のブロック体は、前記第１の部分の幅方向中央部に位置しており、前記第２の部分のブロック体は、前記第２の部分の幅方向中央部に位置しており、前記ブロック体の各々が、２００〜３００ｍｍの幅を有している、敷き寝具。
【請求項３】
請求項１または２に記載の敷き寝具であって、前記本体が１００Ｎ以上の硬度を有しており、前記ブロック体が、１００Ｎ未満の硬度または３０％未満の反発弾性率を有している、敷き寝具。
【請求項４】
請求項１または２に記載の敷き寝具であって、前記ブロック体が上層と下層を備えており、前記上層は、１００Ｎ未満の硬度または３０％未満の反発弾性率を有しており、前記下層は１００Ｎ以上３００Ｎ以下の硬度を有している、敷き寝具。
【請求項５】
請求項１乃至４のいずれか一項に記載の敷き寝具であって、前記第１の部分の凹部が５０〜１００ｍｍの長さ方向寸法を有しており、前記第２の部分の凹部が８０〜３００ｍｍの長さ方向寸法を有している、敷き寝具。
【請求項６】
請求項５に記載の敷き寝具であって、前記第１の部分のブロック体は、５０〜１００ｍｍの長さ方向寸法を有しており、前記第２の部分のブロック体は、８０〜３００ｍｍの長さ方向寸法を有している、敷き寝具。
【請求項７】
請求項１乃至５のいずれか一項に記載の敷き寝具であって、前記第１の部分のブロック体は、前記第１の部分の凹部の長さ方向寸法より小さい長さ方向寸法を有しており、前記第２の部分のブロック体は、前記第２の部分の凹部の長さ方向寸法より小さい長さ方向寸法を有している、敷き寝具。
【請求項８】
請求項７に記載の敷き寝具であって、前記第１の部分のブロック体の長さ方向寸法は、前記第１の部分の凹部の長さ方向寸法より０〜３０ｍｍ小さく、前記第２の部分のブロック体の長さ方向寸法は、前記第２の部分の凹部の長さ方向寸法より１０〜６０ｍｍ小さい、敷き寝具。
【請求項９】
所定の長さを有する第１の部分と第２の部分を備える敷き寝具であって、
前記第１の部分と第２の部分は、互いに対して別体であり、
前記第１の部分と第２の部分の少なくとも上面が、１００Ｎ未満の硬度または３０％未満の反発弾性率のいずれか一方を有している、敷き寝具。
【請求項１０】
請求項９に記載の敷き寝具であって、前記第１の部分と第２の部分は、それぞれ、前記所定の長さの方向に沿って窪んだ凹部を有しており、前記第１の部分と前記第２の部分は、前記第１の部分の前記凹部と前記第２の部分の前記凹部が互いに対向する位置にあるように配置される、敷き寝具。
【請求項１１】
請求項１０に記載の敷き寝具であって、前記第１の部分の前記凹部は、０〜３０ｍｍの長さ方向寸法を有しており、前記第２の部分の前記凹部は、１０〜６０ｍｍの長さ方向寸法を有している、敷き寝具。
【請求項１２】
請求項１乃至１１のいずれか一項に記載の敷き寝具であって、前記第１の部分と前記第２の部分は、それぞれ、外皮に挿入されており、前記第１の部分が挿入される外皮と前記第２の部分が挿入される外皮は、互いに連結可能な別体である、敷き寝具。
【請求項１３】
請求項７、８、１０または１１のいずれか一項に記載の敷き寝具であって、前記第１の部分と前記第２の部分は、共に、単一の外皮に挿入されており、前記外皮は、縫合線により連結された第１の袋状部分と第２の袋状部分を備えている、敷き寝具。
【請求項１４】
軟質発泡樹脂体からなる腹臥位補助マットであって、第１の部分（Ｄ、Ｅ）と第２の部分（Ｃ）を備えており、前記第２の部分（Ｃ）は、前記第１の部分（Ｄ、Ｅ）よりも低い硬度、または低反発弾性率のいずれか一方を有しており、
前記第１の部分（Ｄ、Ｅ）は、互いに異なる高さを有する第１支持部（Ｅ）と第２支持部（Ｄ）とを備え、
腹臥位姿勢にある使用者の頚椎と胸椎の間の角度を維持するように、前記第１支持部（Ｅ）は前記使用者のオトガイ部を支持するようになされており、前記第２支持部（Ｄ）は前記使用者の鎖骨付近を支持するようになされており、
前記第２の部分（Ｃ）は、前記第２支持部（Ｄ）から連続的に延びて、前記第２支持部（Ｄ）と共に、前記使用者の胸部から腹部にかけて接触するようになされている、腹臥位補助マット。
【請求項１５】
請求項１４に記載の腹臥位補助マットにおいて、前記第２の部分（Ｃ）は、１００Ｎ未満の硬度または３０％未満の反発弾性率を有する、腹臥位補助マット。
【請求項１６】
請求項１４または１５に記載の腹臥位補助マットであって、前記第２支持部（Ｄ’）における、前記第１支持部（Ｅ’）側の長さ方向端面には、前記腹臥位補助マットの長さ方向に窪んだ凹部（Ｇ）が形成されており、前記凹部（Ｇ）は、前記第２支持部（Ｄ’）の上面に開口している、腹臥位補助マット。
【請求項１７】
請求項１４乃至１６のいずれか一項に記載の腹臥位補助マットであって、前記第２支持部（Ｄ’’）と前記第２の部分（Ｃ’）は、前記腹臥位補助マットの幅方向中央部から両側に向けて減少する高さを有しており、前記第２の部分（Ｃ’）は、さらに、前記腹臥位補助マットの長さ方向に減少する高さを有している、腹臥位補助マット。
【請求項１８】
請求項１７に記載の腹臥位補助マットであって、前記第２支持部（Ｄ’’）は、幅方向に対して互いに異なる寸法を有する複数の板状部分から形成されており、前記第２の部分（Ｃ’）は、幅方向及び長さ方向に対して互いに異なる寸法を有する複数の板状部分から形成されている、腹臥位補助マット。
【請求項１９】
アイマスクであって、所定の厚さを有しており、使用者の目を保護する眼帯を受け入れるように形成された第１の空間と、前記使用者の鼻を受け入れるように、前記第１の空間から連続的に形成された第２の空間とを備えている、アイマスク。
【請求項２０】
請求項１９に記載のアイマスクと共に使用される、請求項１乃至１３のいずれか一項に記載の敷き寝具であって、前記第２の部分の高さが、前記第１の部分の高さより、前記アイマスクの前記所定の厚さに相当する分小さくされている、敷き寝具。
【請求項２１】
請求項１９に記載のアイマスクであって、さらに、第３の空間を備えており、前記第３の空間は、前記使用者の健常な目を受け入れるように形成されており、前記第１の空間、前記第２の空間及び前記第３の空間は、前記アイマスクの厚さ方向に貫通している、アイマスク。
【請求項２２】
腹臥位姿勢にある使用者の顔面を支持する少なくとも一つの支持面を備える腹臥位用枕であって、前記少なくとも一つの支持面は、前記使用者の両目を受け入れる一対の穴部を有しており、且つ、前記使用者の鼻を受け入れる切欠き部を有している、腹臥位用枕。
【請求項２３】
請求項２２に記載の腹臥位用枕であって、前記一対の穴部は、前記腹臥位用枕の厚さ方向に前記腹臥位用枕を貫通して延びている、腹臥位用枕。
【請求項２４】
請求項２２に記載の腹臥位用枕であって、請求項１４乃至１８のいずれか一項に記載の腹臥位補助マットと共に使用される、腹臥位用枕。
【発明の詳細な説明】
【技術分野】
【０００１】
本発明は、長時間の腹臥位姿勢を快適に維持することができる敷き寝具、及びこれと共に好適に使用することのできる、腹臥位補助マット、アイマスク及び腹臥位用枕に関する。
【背景技術】
【０００２】
人は脊椎動物に属し、５億年前ごろより魚類として誕生し、魚類から両生類を経て、爬虫類、哺乳類へと進化してきた。この間、生物に共通点がある。それは、背骨が重力に対し水平で、背中が天、腹が地になっていることである。背中の位置が変化したのは、人とサルの共通の祖先である原猿類からで、およそ５００万年前にチンパンジーが二本の足で歩き始め、直立姿勢になって、背骨が大地に対して、垂直近くになり、腹と背骨が前後の関係になった。脊椎動物の長い進化の歴史の中で、臓器は背骨の下にあるとき最良の状態にある。人の臓器も同じく、腹臥位のとき最良の状態になる。
【０００３】
これまでの敷き寝具は布団、ベッドマットレスに代表される、１枚の平面状の敷き寝具である。三つ折り、四つ折り等されるものであっても、機能的には１枚の敷き寝具と考えられる。この上で腹臥位姿勢になると、鼻が支（つか）えないように顔面を９０度横向きにしなければならず、不自然な姿勢となる。また、硬い敷き寝具は敷き寝具と顔面の接触面積が少なく、圧力が高くなり、苦痛となる。このため、長時間の腹臥位姿勢は難しくなる。また、敷き寝具全体が柔らかくても、腹臥位姿勢になると鼻が支えないように、顔面を９０度横向きにし、不自然な姿勢となる。また、全体が柔らかい敷き寝具は、身体も顔面も沈み込み、接触面積は多く、従って体圧は低いが、体位変換がしにくく、呼吸もしにくい。
【０００４】
一方で、腹臥位姿勢は、多くの疾患の改善に有効であることが判ってきた。呼吸器疾患、循環器疾患、消化器疾患、泌尿器疾患、その他、認知症予防、褥瘡予防にも効果があることが最近の腹臥位療法研究で明らかになってきた。
【０００５】
しかし、欧米に比べて、わが国では腹臥位姿勢で寝る人は非常に少なく、最近の寝姿勢調査によると、入眠時に腹臥位で休む人は１０％以下である、と言われている。
【０００６】
腹臥位姿勢で長時間寝ることは、慣れないと非常に難しく、特に、身体の弱い人、身体の硬い高齢者、長い間上向き、横向きで寝ていた人には難しい。上記したように、通常の敷き寝具は、布団、ベッドマットレスに代表される、１枚の平面状の敷き寝具であり、この上で腹臥位姿勢になると鼻が支えないように、顔面を９０度横向きにしなければ呼吸が出来ない。「うつぶせ寝健康法」第９１〜１２３頁（日野原重明監修、川島みどり、丸川征四郎著  ＫＫベストセラーズ、２００６年６月２日発行）には、腹臥位姿勢を維持するための様々な工夫が提案されている。これによれば、顔面を左右に傾ける姿勢を続けるために、首の筋肉の硬い人はストレッチ運動を行い、また、人によっては、身体の一部、例えば鎖骨の下、下腿部などが敷き寝具から浮き上がり易いため、枕やクッション等の小道具で身体と寝具の隙間を埋める必要がある場合がある。さらに、身体の部位によって痛みを感じるために枕やクッションが必要とされることもある。
【０００７】
このように、腹臥位姿勢を維持することは、一般に非常に困難である。腹臥位療法は最近の研究で多くの利点があることが判明しても、なかなか腹臥位療法が普及しない。これは、寝姿勢が不慣れな為、呼吸しにくい、首が痛い、その他、寝姿勢に原因がある。寝姿勢は敷き寝具に影響されるため、腹臥位になりやすくするための敷き寝具が、これまで提案されてきた。
【０００８】
特開平１０−１１７９０５号は、額支持部、顎支持部及び顔面周囲空間部を有するうつ伏せ寝用枕を記載している。特開２００６−３３４３６６号は、額、両頬、顎を載せる平面及び排気口を有するうつ伏せ枕を記載している。特開２００７−５０２２２号は、頭部、右頬、左頬の三箇所を支えるうつ伏せ枕を記載している。特開２００７−１２５０８７号は、額、両頬部を支えるパッドを有する伏臥用枕を記載している。
【０００９】
上記４つの文献に記載された枕は、額、頬、顎等を支える支持部を有し、支持面はいずれも小さく、顔面に与える圧力は高い。使用に際しては寄りかかり机の上、ベッド又は敷き寝具の上に置き、顔面を支える。これらの枕を用いて腹臥位になった場合、顔面が高くなり、一方、腹部、腰部は低く、従って腹臥位姿勢は腰が伸びきり、長時間の腹臥位は困難である。又、ベッド上で使用すると安定感、安心感に欠ける。また、顔面が固定されるため、寝返りは自由に出来ない。
【００１０】
特開平１０−７１０５６号は、顔面支持部に楕円形の開口部を設け、通気路を形成したうつ伏せ用クッションを記載する。特開２００４−８９６９７号は、馬蹄形の顔面支持部を有する伏臥位用枕と腹臥位用マットレスのセットを記載する。特開２００６−５５３８３号は、額支持部と胸部支持部を有する、うつ伏せ寝用枕を記載する。特開２００８−１２２１７号は、額支持部と胸部に当てる台部を有するうつ伏せ寝用の寝具を記載する。
【００１１】
上記４つの文献に記載される発明は顔面支持部と胸部支持部を併せ持った腹臥位用クッション体であり、使用に際してはベッド又は敷き寝具の上に置かれ、顔面及び胸部を支えるものである。ベッド等の上に置いて使用するときの使用位置はかなり高く、安心感、安定感に欠け、又寝返りは困難である。さらに、腹臥位はよだれ、鼻水等の対策を必要とするが、シーツ類の配慮は必ずしもなされていない。
【００１２】
特開２００４−３５１２１７号は、底部に通気孔を有する、顔面状凹部を有する腹臥位用クッション性用具及びマットレスを記載している。特開２００６−３４０９４２号は、顔面を埋没させる為の穴を有するマットレスを記載している。
【００１３】
上記２つの文献は、台の上に置かれ、台を通して通気する方法のマットレスを開示する。呼吸する際の空気は、顔面を埋没させる為の顔面状凹部の通気孔又は顔面を埋没させる為の穴を通して流れる。腹臥位になるとよだれ、鼻水、等の汚れ対策が必要であるが、寝具に必要な汚れ防止の為のシーツ類の使用は考慮されていない。顔面を埋没させる為の顔面状凹部（楕円形の切り抜き穴）に汚れ防止用シーツまたは織布をかぶせて使用した場合は、空気の流れが不十分になり、又、顔面へシーツ等が当接して鼻、口が圧迫され、初期の機能が失われる。
【先行技術文献】
【特許文献】
【００１４】
【特許文献１】特開平１０−１１７９０５号
【特許文献２】特開２００６−３３４３６６号
【特許文献３】特開２００７−５０２２２号
【特許文献４】特開２００７−１２５０８７号
【特許文献５】特開平１０−７１０５６号
【特許文献６】特開２００４−８９６９７号
【特許文献７】特開２００６−５５３８３号
【特許文献８】特開２００８−１２２１７号
【特許文献９】特開２００４−３５１２１７号
【特許文献１０】特開２００６−３４０９４２号
【発明の概要】
【発明が解決しようとする課題】
【００１５】
本発明によれば、頭部の位置と胴体部の横たわる位置との間で敷き寝具が分離され、これらが併設されて使用される、敷き寝具の構造が提案される。互いから分離して配置された第１の部分と第２の部分の間に、腹臥位で顔面中央の鼻が収まるような溝を設け、溝に沿って空気の移動が容易にでき、呼吸が楽に行われる敷き寝具とし、ほぼ球体である顔面と、寝具との接触圧力を軽減するために、顔面接触部に低反発または軟質素材を使用した、腹臥位用敷き寝具が提案される。さらに、本発明によれば、腹臥位姿勢にある使用者の頚椎と胸椎の間で理想的な角度を維持し、安楽な腹臥位姿勢を可能にする腹臥位補助マットが提供される。さらに、本発明によれば、目の術後の使用者が安楽に腹臥位姿勢を維持できるように術後の目を保護するアイマスク、及び、健常な目の使用者が目を圧迫されずに安楽に腹臥位姿勢を維持できる腹臥位用枕が提供される。これら腹臥位補助マット、アイマスク及び腹臥位用枕は、特に、本発明の腹臥位用敷き寝具と共に好適に用いることができる。
【課題を解決するための手段】
【００１６】
請求項１の発明によれば、所定の長さを有する第１の部分と第２の部分を備える敷き寝具であって、前記第１の部分と第２の部分は、互いに別体であり、それぞれ、前記所定の長さの方向に沿って窪んだ凹部を有する本体と該凹部内に収容されるブロック体とを備えており、前記ブロック体は、前記本体よりも低い硬度、または低反発弾性率のいずれか一方を有しており、前記第１の部分と前記第２の部分は、前記第１の部分の前記ブロック体と前記第２の部分の前記ブロック体が互いに対向する位置にあるように配置される、敷き寝具が提供される。この構成によれば、第１の部分と第２の部分とを互いから分離させた状態で配置し、第１の部分と第２の部分との間に溝を形成することができる。第１と第２の部分の凹部に収容されるブロック体は、腹臥位姿勢の使用者の顔面接触部を形成することができ、使用者は、鼻から口にかけての部分を溝内に位置させて楽に呼吸することができる。これにより長時間の腹臥位を快適に維持することができる。
【００１７】
請求項２の発明によれば、請求項１に記載の敷き寝具において、前記第１の部分と第２の部分は、それぞれ、所定の幅を有しており、前記第１の部分のブロック体は、前記第１の部分の幅方向中央部に位置しており、前記第２の部分のブロック体は、前記第２の部分の幅方向中央部に位置しており、前記ブロック体の各々が、２００〜３００ｍｍの幅を有している、敷き寝具が提供される。この構成により、一般的な体型の使用者が、敷き寝具に腹臥位姿勢で横たわった時、顔面を自然にブロック体上面に位置させることができる。
【００１８】
請求項３の発明によれば、請求項１または２に記載の敷き寝具において、前記本体が１００Ｎ以上の硬度を有しており、前記ブロック体が、１００Ｎ未満の硬度または３０％未満の反発弾性率を有している、敷き寝具が提供される。この構成により、顔面接触部を形成するブロック体が適度に沈み込み、顔面の寝具との接触面積が大きくなり圧力も小さく、快適な腹臥位姿勢を長時間維持することができる。
【００１９】
請求項４の発明によれば、請求項１または２に記載の敷き寝具において、前記ブロック体が上層と下層を備えており、前記上層は、１００Ｎ未満の硬度または３０％未満の反発弾性率を有しており、前記下層は１００Ｎ以上３００Ｎ以下の硬度を有している、敷き寝具が提供される。この構成により、特に敷き寝具の厚みが大きい場合、ブロック体の機能を維持しつつ、コストを抑えることができる。また、ブロック体の沈み込み量を制御し、使用者に応じた敷き寝具のバリエーションを増やすことができる。
【００２０】
請求項５の発明によれば、請求項１乃至４のいずれか一項に記載の敷き寝具であって、前記第１の部分の凹部が５０〜１００ｍｍの長さ方向寸法を有しており、前記第２の部分の凹部が８０〜３００ｍｍの長さ方向寸法を有している、敷き寝具が提供される。この寸法の凹部にブロック体を収容することにより、一般的な体型の使用者の顔面寸法に広く対応する顔面接触部を形成することができる。
【００２１】
請求項６の発明によれば、請求項５に記載の敷き寝具であって、前記第１の部分のブロック体は、５０〜１００ｍｍの長さ方向寸法を有しており、前記第２の部分のブロック体は、８０〜３００ｍｍの長さ方向寸法を有している、敷き寝具が提供される。この寸法のブロック体によって顔面接触部を形成することにより、一般的な体型の使用者の顔面寸法
に広く対応することができる。
【００２２】
請求項７の発明によれば、請求項１乃至５のいずれか一項に記載の敷き寝具であって、前記第１の部分のブロック体は、前記第１の部分の凹部の長さ方向寸法より小さい長さ方向寸法を有しており、前記第２の部分のブロック体は、前記第２の部分の凹部の長さ方向寸法より小さい長さ方向寸法を有している、敷き寝具が提供される。この構成により、第１の部分と第２の部分を互いに接触させて配置しても、ブロック体と凹部の間の空間に溝を形成することができ、この溝を介して、腹臥位姿勢の使用者が楽に呼吸することができる。
【００２３】
請求項８の発明によれば、請求項７に記載の敷き寝具であって、前記第１の部分のブロック体の長さ方向寸法は、前記第１の部分の凹部の長さ方向寸法より０〜３０ｍｍ小さく、前記第２の部分のブロック体の長さ方向寸法は、前記第２の部分の凹部の長さ方向寸法より１０〜６０ｍｍ小さい、敷き寝具が提供される。この構成により、幅が１０〜９０ｍｍの範囲の溝を形成することができ、第１の部分と第２の部分を互いに接触状態で配置しても、使用者が楽に呼吸するのに十分な溝を形成することができる。
【００２４】
請求項９の発明によれば、所定の長さを有する第１の部分と第２の部分を備える敷き寝具であって、前記第１の部分と第２の部分は、互いに対して別体であり、前記第１の部分と第２の部分の少なくとも上面が、１００Ｎ未満の硬度または３０％未満の反発弾性率のいずれか一方を有している、敷き寝具が提供される。この構成により、第１の部分と第２の部分を分離して配置することによって腹臥位姿勢の使用者の呼吸を容易にすることができるだけでなく、褥瘡予防効果をも有する敷き寝具を提供することができる。
【００２５】
請求項１０の発明によれば、請求項９に記載の敷き寝具であって、前記第１の部分と第２の部分は、それぞれ、前記所定の長さの方向に沿って窪んだ凹部を有しており、前記第１の部分と前記第２の部分は、前記第１の部分の前記凹部と前記第２の部分の前記凹部が互いに対向する位置にあるように配置される、敷き寝具が提供される。この構成により、第１の部分と第２の部分を互いに接触状態で配置しても腹臥位姿勢の使用者の呼吸を容易にすることができるだけでなく、褥瘡予防効果をも有する敷き寝具を提供することができる。
【００２６】
請求項１１の発明によれば、請求項１０に記載の敷き寝具であって、前記第１の部分の前記凹部は、０〜３０ｍｍの長さ方向寸法を有しており、前記第２の部分の前記凹部は、１０〜６０ｍｍの長さ方向寸法を有している、敷き寝具が提供される。この構成により、幅が１０〜９０ｍｍの範囲の溝を形成することができ、第１の部分と第２の部分を互いに接触状態で配置しても、使用者が楽に呼吸するのに十分な溝を形成することができる。
【００２７】
請求項１２の発明によれば、請求項１乃至１１のいずれか一項に記載の敷き寝具であって、前記第１の部分と前記第２の部分は、それぞれ、外皮に挿入されており、前記第１の部分が挿入される外皮と前記第２の部分が挿入される外皮は、互いに連結可能な別体である、敷き寝具が提供される。この構成により、衛生面が考慮された敷き寝具を提供することができる。また、２つの外皮を連結させることによって、第１の部分と第２の部分の相対位置のずれを防止することができる。
【００２８】
請求項１３の発明によれば、請求項７、８、１０または１１のいずれか一項に記載の敷き寝具であって、前記第１の部分と前記第２の部分は、共に、単一の外皮に挿入されており、前記外皮は、縫合線により連結された第１の袋状部分と第２の袋状部分を備えている、敷き寝具が提供される。この構成により、衛生面が考慮された腹臥位に好適な敷き寝具を提供することができる。
【００２９】
請求項１４の発明によれば、軟質発泡樹脂体からなる腹臥位用補助マットであって、第１の部分（Ｄ、Ｅ）と第２の部分（Ｃ）を備えており、第２の部分（Ｃ）は、第１の部分（Ｄ、Ｅ）よりも低い硬度、または低反発弾性率のいずれか一方を有しており、前記第１の部分（Ｄ、Ｅ）は、互いに異なる高さを有する第１支持部（Ｅ）と第２支持部（Ｄ）とを備え、腹臥位姿勢にある使用者の頚椎と胸椎の間の角度を維持するように、前記第１支持部（Ｅ）は前記使用者のオトガイ部を支持するようになされており、前記第２支持部（Ｄ）は前記使用者の鎖骨付近を支持するようになされており、前記第２の部分（Ｃ）は、前記第２支持部（Ｄ）から連続的に延びて、前記第２支持部（Ｄ）と共に、前記使用者の胸部から腹部にかけて接触するようになされている、腹臥位補助マットが提供される。この構成により、頸椎と胸椎間の理想的な角度が保持された安楽な腹臥位姿勢を容易に維持することができる。
【００３０】
請求項１５の発明によれば、請求項１４に記載の腹臥位補助マットにおいて、前記第２の部分（Ｃ）は、１００Ｎ未満の硬度または３０％未満の反発弾性率を有する、腹臥位補助マットが提供される。この構成により、第２の部分が使用者の胸部に柔らかくフィットして胸部との隙間を埋めるので、第１の部分の高さによる不安定感がなく、安楽な寝姿勢を維持できる。
【００３１】
請求項１６の発明によれば、請求項１４または１５に記載の腹臥位補助マットであって、前記第２支持部（Ｄ’）における、前記第１支持部（Ｅ’）側の長さ方向端面には、前記腹臥位補助マットの長さ方向に窪んだ凹部（Ｇ）が形成されており、前記凹部（Ｇ）は、前記第２支持部（Ｄ’）の上面に開口している、腹臥位補助マットが提供される。この構成により、腹臥位補助マット上で腹臥位姿勢にある使用者の咽喉の付け根付近を圧迫することを防止でき、より安楽な腹臥位姿勢を長時間維持できる。
【００３２】
請求項１７の発明によれば、請求項１４乃至１６のいずれか一項に記載の腹臥位補助マットであって、前記第２支持部（Ｄ’’）と前記第２の部分（Ｃ’）は、前記腹臥位補助マットの幅方向中央部から両側に向けて減少する高さを有しており、前記第２の部分（Ｃ’）は、さらに、前記腹臥位補助マットの長さ方向に減少する高さを有している、腹臥位補助マットが提供される。この構成により、使用者の身体を腹臥位補助マットによりフィットさせることができ、使用者は、自然な腹臥位姿勢を維持することができる。
【００３３】
請求項１８の発明によれば、請求項１７に記載の腹臥位補助マットであって、前記第２支持部（Ｄ’’）は、幅方向に対して互いに異なる寸法を有する複数の板状部分から形成されており、前記第２の部分（Ｃ’）は、幅方向及び長さ方向に対して互いに異なる寸法を有する複数の板状部分から形成されている、腹臥位補助マットが提供される。
【００３４】
請求項１９の発明によれば、アイマスクであって、所定の厚さを有しており、使用者の目を保護する眼帯を受け入れるように形成された第１の空間と、前記使用者の鼻を受け入れるように、前記第１の空間から連続的に形成された第２の空間とを備えている、アイマスクが提供される。この構成により、眼科手術後の使用者の目を保護することができる。
【００３５】
請求項２０の発明によれば、請求項１９に記載のアイマスクと共に使用される、請求項１乃至１３のいずれか一項に記載の敷き寝具であって、前記第２の部分の高さが、前記第１の部分の高さより、前記アイマスクの前記所定の厚さに相当する分小さくされている、敷き寝具が提供される。この構成により、アイマスクの厚さにかかわらず、快適な腹臥位姿勢を維持することができる。
【００３６】
請求項２１の発明によれば、請求項１９に記載のアイマスクであって、さらに、第３の空間を備えており、前記第３の空間は、前記使用者の健常な目を受け入れるように形成されており、前記第１の空間、前記第２の空間及び前記第３の空間は、前記アイマスクの厚さ方向に貫通している、アイマスクが提供される。この構成により、使用者の眼科手術後の眼帯を装着した目及び健常な目の両方について、目がアイマスクに接触して圧迫されるおそれを防止することができる。また、使用者の鼻がアイマスクに接触して圧迫されることもなく、腹臥位姿勢のまま楽に呼吸することができる。
【００３７】
請求項２２の発明によれば、腹臥位姿勢にある使用者の顔面を支持する少なくとも一つの支持面を備える腹臥位用枕であって、前記少なくとも一つの支持面は、前記使用者の両目を受け入れる一対の穴部を有しており、且つ、前記使用者の鼻を受け入れる切欠き部を有している、腹臥位用枕が提供される。この構成により、腹臥位姿勢にある使用者の、目の周りを含む頭蓋骨を支持することができるため、頭部と枕の接触面積を大きくすることができる。また、鼻を受け入れる切欠き部によって、顔を９０度横に傾けることなく、腹臥位で楽に呼吸することができ、且つ、歯根への圧力を回避することができる。さらに、一対の穴部によって、使用者の目が腹臥位用枕に接触して圧迫されるおそれを防止することができる。
【００３８】
請求項２３の発明によれば、請求項２２に記載の腹臥位用枕であって、前記一対の穴部は、前記腹臥位用枕の厚さ方向に前記腹臥位用枕を貫通して延びている、腹臥位用枕が提供される。これにより、使用者の目が腹臥位用枕に接触して圧迫されるおそれをより確実に防止することができる。
【００３９】
請求項２４の発明によれば、請求項２２に記載の腹臥位用枕であって、請求項１４乃至１８のいずれか一項に記載の腹臥位補助マットと共に使用される、腹臥位用枕が提供される。
【発明の効果】
【００４０】
本発明の敷き寝具によれば、顔面を９０度横に傾けることなく、楽に呼吸できる状態で、長時間快適な腹臥位姿勢を維持することができる。また、本発明の腹臥位補助マットによれば、頚椎と胸椎の間の角度を理想的な角度に保持して長時間快適な腹臥位姿勢を維持することができる。さらに、本発明のアイマスクによれば、眼科手術後の使用者が安楽に腹臥位姿勢を維持できるように術後の目を保護することができる。さらに、本発明の腹臥位用枕によれば、健常な目の使用者が目を圧迫されることなく、安楽に腹臥位姿勢を維持できる。本発明の敷き寝具を、本発明の腹臥位補助マット及び／又はアイマスク又は腹臥位用枕と併用することにより、使用者は、より安楽な腹臥位姿勢を長時間維持することができる。
【図面の簡単な説明】
【００４１】
【図１】（Ａ）は、本発明の第１実施形態による敷き寝具を示す平面図である。（Ｂ）は、（Ａ）のＸ１−Ｘ１線に沿った断面図である。
【図２】図１の敷き寝具の第１の部分と第２の部分を別々の外皮で覆った場合の平面図（Ａ）、側面図（Ｂ）及び端面図（Ｃ）である。
【図３】図２の敷き寝具の裏面図である。
【図４】敷き寝具の汚れ対策の一例を説明する図であり、（Ａ）は平面図、（Ｂ）は側面図、（Ｃ）は裏面図である。
【図５】汚れ対策の一例を説明する図である。
【図６】（Ａ）は、本発明の第２実施形態による敷き寝具を示す平面図である。（Ｂ）は、（Ａ）のＸ２−Ｘ２線に沿った断面図である。
【図７】図６の変形例を示す図であり、（Ａ）は平面図、（Ｂ）は（Ａ）のＸ３―Ｘ３線に沿った断面図である。
【図８】第２実施形態の敷き寝具を単一の外皮で覆った場合の平面図（Ａ）、（Ａ）のＹ１−Ｙ１線に沿った断面図（Ｂ）及び端面図（Ｃ）である。
【図９】図８の敷き寝具の裏面図である。
【図１０】第１の部分を２分割した場合の第１実施形態の敷き寝具を示す平面図（Ａ）と側面図（Ｂ）である。
【図１１】図１０の敷き寝具の変形例を示す平面図（Ａ）と側面図（Ｂ）である。
【図１２】第１の部分を３分割した場合の第２実施形態の敷き寝具を示す平面図（Ａ）、（Ａ）のＹ２−Ｙ２線に沿った断面図（Ｂ）及び端面図（Ｃ）である。
【図１３】図１２の敷き寝具の裏面図である。
【図１４】本発明の腹臥位補助マットを示す図であり、（Ａ）は平面図、（Ｂ）は側面図、（Ｃ）及び（Ｄ）は端面図である。
【図１５】図１４の変形例を示す図であり、（Ａ）は平面図、（Ｂ）は（Ａ）のＹ３−Ｙ３線に沿った断面図、（Ｃ）及び（Ｄ）は端面図である。
【図１６】従来の腹臥位補助具を用いた腹臥位姿勢の一例を示す図である。
【図１７】図１６の腹臥位姿勢をさらに説明するための図である。
【図１８】図１７に対応する、本発明の腹臥位補助マットを用いた腹臥位姿勢を説明するための図である。
【図１９】図１４のさらなる変形例を示す図であり、（Ａ）は平面図、（Ｂ）は（Ａ）のＹ４−Ｙ４線に沿った断面図、（Ｃ）及び（Ｄ）は端面図である。
【図２０】図１４のさらなる変形例を示す図であり、（Ａ）は平面図、（Ｂ）は（Ａ）のＹ５−Ｙ５線に沿った断面図、（Ｃ）及び（Ｄ）は端面図である。
【図２１】本発明のアイマスクを示す図であり、（Ａ）は平面図、（Ｂ）は側面図、（Ｃ）は端面図である。
【図２２】図２１（Ａ）のＺ１−Ｚ１線に沿った断面図である。
【図２３】アイマスクの装着例を示す図である。
【図２４】アイマスクと共に使用される、第１実施形態の敷き寝具の変形例を示す図である。
【図２５】アイマスクの変形例を示す図であり、（Ａ）は平面図、（Ｂ）は側面図、（Ｃ）は端面図である。
【図２６】図２５（Ａ）のＺ２−Ｚ２線に沿った断面図である。
【図２７】本発明の腹臥位用枕を示す図であり、（Ａ）は平面図、（Ｂ）は側面図、（Ｃ）は端面図である。
【図２８】図２７（Ａ）のＺ３−Ｚ３線に沿った断面図である。
【発明の詳細な説明】
【００４２】
以下、添付の図面を参照して、本発明の実施形態を説明する。尚、添付の図面はいずれも概略図であり、各部分の寸法の比率は、必ずしも実寸どおりではない。
［第１実施形態］
［全体概要］
【００４３】
図１（Ａ）は、本発明の第１実施形態による敷き寝具を示す平面図であり、図１（Ｂ）は、図１（Ａ）のＸ１−Ｘ１線に沿った断面図である。本発明の第１実施形態によれば、所定の長さＬ１、Ｌ２を有する第１の部分１と第２の部分２を備える敷き寝具１０が提供される。第１の部分１と第２の部分２は、互いに別体であり、長さの関係は、Ｌ１>Ｌ２
であり、実質的に同一の高さＨ１と幅Ｗ１を有している。使用時、長さＬ１を有する第１の部分１は使用者の脚側に配置され、長さＬ２を有する第２の部分２は使用者の頭側に配置される。このように、第１の部分１と第２の部分２は、所定の長さＬ１、Ｌ２の方向に沿って配置される。さらに、後述するように、第１の部分１と第２の部分２は、互いに別体であるので、所定の距離をおいて互いから分離して配置することができ、これにより、第１の部分１と第２の部分２の間に溝Ｄ１（後述）を形成することができる。第１の部分
１と第２の部分２は、それぞれ、長さ方向（Ｌ１、Ｌ２の方向）に沿って窪んだ凹部（符号省略）を有する本体１１、１２と凹部内に収容されるブロック体Ａ、Ｂを備えている。ブロック体Ａ、Ｂの各々の上面は、腹臥位姿勢の使用者の顔面の少なくとも一部に、直接またはシーツ等を介して接触する、顔面接触部を形成する。尚、本明細書において、「左右」、「上」、「下」等の方向を示す用語は、特に断りのない限り、床面等に載置された敷き寝具を、その長手方向両端のいずれか一方から見た場合について用いられる。例えば、敷き寝具の「上面」とは、使用者の身体が載置されまたは支持される側の面であり、「下面」とは、敷き寝具の床面等に接触する側の面を指す。以下、本願発明の第１実施形態の詳細を具体的な効果と共に説明する。
［溝の形成について］
【００４４】
上記したように、第１の部分１と第２の部分２は、互いに別体であるため、所定の長さ方向に沿って、互いから分離して配置することができる。このとき、第１の部分１のブロック体Ａを含む長手方向端面（以下、「端面」）と第２の部分２のブロック体Ｂを含む長手方向端面（以下、「端面」）は、互いに対向する位置にある。この状態で、敷き寝具１０が載置される面（例えば床面）１００と、第１の部分１及び第２の部分２の長手方向端面との間に、敷き寝具の幅（Ｗ１）方向に沿って延びる、一本の細長い溝Ｄ１が形成される。溝Ｄ１は、敷き寝具を幅方向に完全に横切るように延びており、従って、溝Ｄ１の上端及び左右両端は開放され、外気と連通状態にある。
【００４５】
使用者が敷き寝具１０上に腹臥位姿勢で横たわった際、溝Ｄ１は、使用者が呼吸する際の空気の移動をスムーズにする通気路として機能させることができる。腹臥位姿勢の使用者は、口から鼻の辺りが溝Ｄ１内に収まるように顔を真下または斜め下などに向けて横たわることができ（図１０（Ｂ）等参照）、空気が溝Ｄ１内を移動することによって、楽に呼吸することができる。従って、第１の部分１と第２の部分２の相対位置またはこれらの間の距離は、使用者の口から鼻の辺りが溝Ｄ１上に位置する様に決められる。第１の部分１と第２の部分２の間の距離（換言すれば、溝Ｄ１の幅）は、敷き寝具１０の幅（Ｗ１）方向に沿って必ずしも一定でなくてもよく、使用者が楽に呼吸できる程度に使用者の口から鼻の辺りが収まる空間が、第１の部分１と第２の部分２の間に確保されていればよい。しかし、溝Ｄ１の幅が大きすぎると、頭部が十分に支持されず、不安定となるため好ましくない。従って、溝Ｄ１の幅は、例えば、約３０〜６０ｍｍが好ましいが、使用者の体型によってはこの限りではない。このように、第１実施形態の敷き寝具１０によれば、従来の敷き寝具と異なり、使用者が腹臥位姿勢で横たわっても寝具で鼻や口が塞がることがない為、呼吸が楽に行われる。溝Ｄ１に鼻が収まると、真下を向くことができる。また、溝Ｄ１は、敷き寝具を横切って延びる、左右及び上端が開放された溝であるので、使用者は、寝具の上面から抵抗を受けることなく、真下または斜め下等、所望の角度（垂直下向きを０度とすると、左右３０度、左右４５度等）に顔の向きを変えることができ、このように顔の角度を変えても楽な呼吸状態が維持できる。さらに、顔の角度位置を変えることは、一種の寝返り行動であるため、使用者は、長時間顔の位置が固定されることなく、快適に腹臥位姿勢を維持できる。
【００４６】
このように、第１実施形態では、溝Ｄ１の空間内に使用者の鼻が位置する為、呼吸の空気の流れが良く、空気が滞留することがなく、自然な呼吸ができる。また、溝Ｄ１内で所望の角度に顔を傾けることができるため、長時間の腹臥位姿勢を無理なく維持できる。
［硬度及び反発弾性率について］
【００４７】
上記したように、第１の部分１と第２の部分２は、それぞれ、長さ方向に沿って窪んだ凹部を有する本体１１、１２と凹部内に収容されるブロック体Ａ、Ｂを備えている。ブロック体Ａ、Ｂの上面は、使用者の顔面の少なくとも一部に、直接またはシーツ等を介して接触する、顔面接触部を形成する。本体１１、１２の硬度は、通常の敷き寝具の硬度と同
程度、例えば、ウレタン製であれば、１００Ｎ以上が好ましく、１００Ｎ以上２５０Ｎ以下の硬度を有していることがさらに好ましい。本体１１、１２の硬度がこの範囲であると、使用者の顔面以外の部分における寝具の沈み込みが抑制され、従って、正しい寝姿勢を維持し易く、且つ、体位変換もし易い。ブロック体Ａ、Ｂは、本体１１、１２の硬度よりも低い硬度を有することができ、ウレタン製であれば、例えば、１００Ｎ未満が好ましく、４０Ｎ以上１００Ｎ未満の硬度を有していることがさらに好ましい。このような低硬度の材料は、身体の中でも最も敏感な部分である顔面の感触が良く、顔への当たりが柔らかく、適度な沈み込みを得ることができ、従って、顔面と寝具との接触面積が大きくなり圧力も少なく、快適な腹臥位姿勢を可能にする。ブロック体Ａ、Ｂは、低反発弾性率を有していてもよい。例えば、敷き寝具に用いられる一般的なウレタンフォームは、反発弾性率が３０％以上であることから、本発明に用いることができる低反発性素材の反発弾性率は、３０％未満であることが好ましく、５％〜２０％であることがさらに好ましい。このような低反発性材料も、荷重の応力が分散されて適度な沈み込みを得ることができ、従って、顔面との接触面積が大きくなり圧力も少なく、快適な腹臥位姿勢を可能にする。ブロック体Ａ、Ｂに用いられる低硬度または低反発性材料としては、ウレタンフォームが好ましいが、これには限られない。例えば、布等の軟質素材でできた袋状の外皮に空気、ゲル等を充填して立体形状としたものや、合成ゴム製の立体構造物等であっても、上記の硬度または反発弾性率と同等の硬度または反発弾性率を有していれば、ブロック体Ａ、Ｂとして用いることができる。これらによって、長時間の腹臥位姿勢が抵抗なく出来る。尚、ブロック体Ａ、Ｂ及びこれに対応する本体１１、１２の凹部の形状は、本実施形態では実質的に直方体であるが、これには限られない。本実施形態で意図されるブロック体Ａ、Ｂの機能を発揮することができれば、例えば、円柱形等でもよい。
【００４８】
本明細書中に示される硬度の値は、ＪＩＳ  Ｋ６４００−２に規定する方法で測定される値であり、反発弾性率は、ＪＩＳ  Ｋ６４００−３に規定する方法で測定される値である。上記試験法は、それぞれ、ウレタンフォームの硬度、反発弾性率についてのものであるが、本発明の敷き寝具に用いられる材料は、ウレタンフォームに限定されることはない。本明細書中に示される値と同等の硬度または反発弾性率を有するものであれば、一般の敷き寝具に用いられるエステル硬綿、ウール綿等であってもよく、ゲル材、ウォーター、エアー、スプリング材等が充填されたものであってもよい。
【００４９】
尚、本実施形態では、ブロック体Ａ、Ｂは単一の材料でつくられているが、ブロック体Ａ、Ｂの各々は、異質の材料から成る多層構造を有していてもよく、例えば、上層と下層を有していてもよい。この場合、上層は１００Ｎ未満の低硬度または３０％未満の低反発弾性率を有し、下層は１００Ｎ以上３００Ｎ以下の硬度を有していることが好ましい。特に、上層は、４０Ｎ以上１００Ｎ未満の硬度または５％〜２０％の反発弾性率を有しているとさらに好ましい。この構成は、特に敷き寝具１０の厚みが比較的大きい場合、例えば約８０ｍｍ以上である場合等に、有利である。特に柔らかい感触、体圧の減少、接触面積の増加等を必要とする顔面接触部を含む上層にのみ軟質性素材または低反発性素材を使用し、下層には通常の敷き寝具と同等の硬度を有する素材を使用すれば、製造コストを抑えることができる。また、特に体重の大きな使用者に対しては、上層の厚みを小さくし、下層を上層よりも硬くすることによって、沈み込みの量を制御することもでき、使用者に応じた敷き寝具１０のバリエーションを増やすことができる。
【００５０】
第１の部分１のブロック体Ａは、第１の部分１の幅（Ｗ１）方向中央部に位置しており、第２の部分２のブロック体Ｂは、第２の部分２の幅（Ｗ１）方向中央部に位置している。これにより、使用者が敷き寝具１０上に腹臥位で横たわった際に顔面がブロック体Ａ、Ｂ上に自然に位置し易い。
【００５１】
本実施形態では、第１の部分１の凹部は、５０〜１００ｍｍの長さ方向（長さＬ１に沿った方向）寸法Ｌ３、２００〜３００ｍｍの幅方向寸法Ｗ２及び５０〜２５０ｍｍ程度の高さ方向寸法（敷き寝具１０の高さＨ１と等しい）を有しており、この凹部に５０〜１００ｍｍの長さ方向寸法、２００〜３００ｍｍの幅方向寸法及び５０〜２５０ｍｍ程度の高さ方向寸法を有するブロック体Ａが嵌合状態で接合されている。第２の部分２の凹部は、８０〜３００ｍｍの長さ方向（長さＬ２に沿った方向）寸法Ｌ４、２００〜３００ｍｍの幅方向寸法Ｗ３及び５０〜２５０ｍｍ程度の高さ方向寸法（敷き寝具１０の高さＨ１と等しい）を有しており、この凹部に８０〜３００ｍｍの長さ方向寸法、２００〜３００ｍｍの幅方向寸法及び５０〜２５０ｍｍ程度の高さ方向寸法を有するブロック体Ｂが嵌合状態で接合されている。即ち、第１実施形態では、ブロック体Ａ、Ｂの外形寸法は、対応する凹部と実質的に同一である。上記したブロック体Ａ、Ｂ及び対応する凹部の平面寸法（長さ方向及び幅方向寸法）は、一般的な体型を有する男子、女子の顔面接触部として広く適用することができる寸法として好ましい。通常、ブロック体Ａ、Ｂは、それぞれ、対応する第１の部分１の本体１１、第２の部分２の本体１２とは別個に成形され、凹部に嵌合・接着されるものであるが、本体１１、本体１２と一体的に成形されるものであってもよい。しかし、製造コストの面から、別個に成形される方が好ましい場合がある。
【００５２】
使用時、顔面接触部を形成するブロック体Ａ、Ｂは、溝Ｄ１を挟んで互いに対向する位置に配置されるが、溝Ｄ１を形成するブロック体Ａ、Ｂの端面は、３０％未満の低反発弾性率又は硬度１００Ｎ未満の材質からなるブロック体の切り口面となる。換言すれば、ブロック体の端部に位置する面である。ブロック体の中央部分に加わる力と端部に加わる力が同じである場合、両者の沈み込み量は大きく異なる。つまり、同じ沈み込み量を得るには、ブロック体の中央部分では大きな力が必要となるが、ブロック体の端部では小さな力で良い。敷き寝具１０の使用時、ブロック体（顔面接触部）Ａ、Ｂの端部（溝形成面）には使用者の鼻や口（歯）が位置し、このとき、ブロック体Ａ、Ｂの端部に加わる圧力は、額や顎に接触する中央部分と比べて比較的小さい。しかし、上記したように、ブロック体の端部は小さな力でも沈み込むので、ブロック体Ａ、Ｂの顔面接触部は、全体に使用者の顔面構造に添って凹み、使用者は快適に腹臥位で睡眠することができる。
【００５３】
尚、使用者の目の部分については、ブロック体Ｂの接触面が柔らかく、又顔面の傾きにより、目は、ブロック体Ｂに斜めに接触する。従って、健常者の場合は、目の部分がブロック体Ｂと接触しても悪影響はない。ただし、目の術後の人が本発明の敷き寝具を使用する場合には、目の部分に圧力がかからないように、後述のアイマスクを使用することができる。
【００５４】
従来技術の顔面枕及び胸部マット併用の物は顔面又は胸部を高くするものであり、いったん身体が枕等からずれると、再度身体を高い位置に寝返りさせることは、身体の弱い人、高齢者には困難である。本発明の腹臥位用敷き寝具は、実質的に同一高さＨ１を有する第１の部分１と第２の部分２に身体全体が横たわり、顔面や胸部を他の部分より高い位置に固定することがない。使用者は、平面上にて腹臥位姿勢になることができ、手足は自由に移動でき、快適で安定した腹臥位姿勢を得ることができる。
【００５５】
以下の測定方法を用いて、本願発明の効果を確認した。センサー数が縦１９２０ｍｍ／３２個、横６７０ｍｍ／３２個の体圧シートを用い、従来の硬めの綿布団にて顔面を下向きにして腹臥位で横たわり、布団上面と顔面の接触点を数えると、顔面全体が布団上面に接触することはなく、鼻から下（あご）の接触する姿勢の時の接触点の数は１２個であり、額が接触する姿勢のときは１５個であった。この時の最高圧力は、あごの圧力が高く１００ｍｍ・Ｈｇ以上となり、額の圧力は８０ｍｍ・Ｈｇであった。このように、通常の硬めの布団で顔を真下に向ける腹臥位姿勢になると、顔面に加わる圧力は非常に高いことが分かった。
【００５６】
一方、上記の体圧シートを用い、ブロック体に低反発ウレタン（硬度５０Ｎ、密度７５ｋｇ／ｍ３）を用いた本発明の敷き寝具にて、顔面を下向きにして腹臥位で横たわり、顔面接触点を数えると、接触点は２２個であり、最高圧力は顎の部分の４０ｍｍ・Ｈｇであった。さらに、従来の硬めの綿布団において、顔面を横向きにした腹臥位姿勢の場合について測定すると、顔面接触点の数は２６個で最高圧力は１００ｍｍ・Ｈｇ以上であり、低反発ウレタンを用いた本発明の敷き寝具において、顔面を横向きにした腹臥位姿勢の場合、顔面接触点の数は３１個、最高圧力は３０ｍｍ・Ｈｇであった。
【００５７】
尚、第１の実施形態では、第１の部分１と第２の部分２が、それぞれ、顔面接触部とその他の部分とで硬度または反発弾性率の異なる、本体１１、１２とブロック体Ａ、Ｂを備える構成であった。しかし、これに代えて、第１の部分１と第２の部分２は、一様な硬度または反発弾性率を有していてもよい。この場合でも、第１の部分１と第２の部分２の間に溝Ｄ１を形成することにより、顔面を９０度傾けることなく、長時間快適な腹臥位姿勢を維持できる。しかし、第１の部分１と第２の部分２の少なくとも上面が、硬度１００Ｎ未満の軟らかい材質または３０％未満の反発弾性率を有する低反発性材料、特にウレタンフォームであると好ましい。しかし、これと同等の硬度または反発弾性率を有するものであれば、他の材料であっても良い。この場合、顔面との接触面積を大きくして圧力を小さくできるだけでなく、さらに褥瘡予防敷き寝具としての機能を付与することができる。
［使用状態］
【００５８】
図２は、図１に示す敷き寝具１０が実際に使用される状態の一例を示す。図２の例では、第１の部分１と第２の部分２を別々の外皮１’、２’で包み、両者の間に呼吸し易い好みの間隔（たとえば約３０〜６０ｍｍ）を空けて、外皮１’、２’と床面（図示省略）との間に空気の連通路としての溝Ｄ１を形成する。このときの平面図、側面図、端面図を、それぞれ、図２の（Ａ）、（Ｂ）、（Ｃ）に示す。図３は、図２に示す外皮１’、２’に包まれた敷き寝具１０の裏面図である。外皮１’、２’は袋状で、材料は通常の敷き布団用の材質でよく、綿織布、ウール織布等の織り布、レザー、メリヤス生地、キルト地等である。この例では、さらに、外皮１’、２’に包まれた第１の部分１と第２の部分２の裏面の左右端部に、マジックテープ（登録商標）等を用いた連結部１３を設けている。このように、マジックテープ（登録商標）等を介して第１の部分１と第２の部分２を連結することにより、第１の部分１と第２の部分２の相対位置が大きくずれないようにすることができ、使用者にとって最適な溝Ｄ１の幅を維持することができる。マジックテープ（登録商標）等の連結位置または長さによって、溝Ｄ１の幅を変えることができる。
［衛生面の対策］
【００５９】
腹臥位姿勢になると、口や肺の中の水分が移動すると共に、よだれとして外部に出され、また痰の出も良くなるため、肺機能が改善すると言われている。しかし、一方で、腹臥位用寝具には、よだれ、鼻水等の汚れに対する対策が要求される。
【００６０】
図２、図３に示すように第１の部分１と第２の部分２を別々の外皮１’、２’で包む場合、それぞれの外皮をアルコール清拭可能な外皮にすると、第１の部分１、第２の部分２共にアルコール清拭等による消毒なども出来て衛生的である。また、第１の部分１を包む外皮１’と第２の部分２を包む外皮２’が完全に分離されているので、外皮１’、２’には、第１の部分１と第２の部分２の間でごみが溜まるような窪みを形成する部分が存在せず、衛生的である。
【００６１】
一例として、図４（Ａ）〜（Ｃ）に示すように外皮１’と外皮２’との間に防水シート又はタオル１４等を置くことにより、よだれその他の汚れ対策となる。
【００６２】
この形態は、個人での使用はもちろん、多くの人が使用する、病院又は介護施設等での
使用に最適である。
【００６３】
また、図５に示すように、防水シート又はタオル１４等を、その長さ方向両端部がブロック体Ａ、Ｂの上面側を覆うようにして、溝Ｄ１内に挿入し、よだれ、鼻水等の汚れ対策とすることもできる。
【００６４】
従来の敷き寝具は、一般に汚れ防止の為、寝具の上にシーツ・敷布を使用するが、本実施形態の敷き寝具１０においても、袋状の外皮１’、２’に代えて、通常のシーツ・敷布を使用することができる。第１の部分１から第２の部分２にシーツ・敷布等を架け渡し、溝Ｄ１にそのシーツ等を挿入して使用することができる。
【００６５】
尚、上記した特開２００４−３５１２１７号の例では、一般のシーツを使用することは困難である。この例では、顔面の接触面に穴の空いたシーツを使用しないと、外気を自由に流通させ使用者の呼吸を楽にするというクッション体の本来の機能を果たすことが難しい。穴を空けたシーツを使用しようとすれば、コストが高く又、また、クッション体の穴とシーツの穴とを整合させる作業が必要になる。
【００６６】
このように、第１の部分１と第２の部分２（または外皮１’と外皮２’）との間に形成される溝Ｄ１は、これを通して呼吸時の空気の移動がスムーズに行われ、かつ鼻を塞がない機能を有する他、汚れ防止のためのシーツ・敷布を挟み込んだり、よだれや痰を受けるタオルなどを挟み込む場所としての重要な機能を有する。
【００６７】
さらに、本実施形態の腹臥位用敷き寝具１０は、第２の部分２に、仰臥位で使用する通常の枕を置いて、仰臥位で寝ても快適に寝ることができる、敷き寝具である。仰臥位で使用する通常の枕の大きさは、一般に、平面寸法が４００ｍｍ×４００ｍｍ以上である。一方、低反発性又は軟質材料（反発弾性率３０％未満または硬度１００Ｎ未満）で形成されるブロック体Ｂの上面の寸法は、幅Ｗ３＝２００〜３００ｍｍ、長さＬ４＝８０〜３００ｍｍであるので、仰臥位で使用する通常の枕を置いて使用しても、枕はブロック体Ｂの周囲の本体１２によって支持される。従って、５ｋｇ程度の頭部の重量は、枕の平面寸法内で分散され、何の影響も無く仰臥位姿勢が保たれる。
【００６８】
さらに、本実施形態の腹臥位用敷き寝具１０は、第２の部分２に仰臥位で使用する通常の枕を置き、横臥位姿勢で寝ても快適に寝ることができる敷き寝具である。上記のように、通常の枕の平面寸法は、ブロック体Ｂの上面の寸法より大きいため、低反発性又は軟質材料（反発弾性率３０％未満または硬度１００Ｎ未満）の影響は実質的に受けない。また、溝Ｄ１の存在も、約３０〜６０ｍｍという幅の小さいものであるため、仰臥位姿勢、横臥位姿勢のいずれにおいても影響するものではない。
【００６９】
換言すれば、本実施形態の腹臥位用敷き寝具１０は通常の枕との併用により、仰臥位、横臥位、腹臥位すべての寝姿勢に適応できる、新規な敷き寝具である。
［第２実施形態］
［全体概要］
【００７０】
図６（Ａ）は、本発明の第２実施形態による敷き寝具２０を示す平面図であり、図６（Ｂ）は、図６（Ａ）のＸ２−Ｘ２線に沿った断面図である。
【００７１】
第２実施形態の敷き寝具２０は、第１実施形態と同様に、第１の部分３と第２の部分４が、それぞれ、長さ（Ｌ１、Ｌ２）方向に沿って窪んだ凹部（符号省略）を有する本体２１、２２と、この凹部内に収容されるブロック体Ａ’、Ｂ’を備えている。しかし、第２実施形態では、第１実施形態と異なり、第１、第２の部分３、４におけるブロック体Ａ’
、Ｂ’の長さ方向寸法Ｌ５、Ｌ８が、凹部の長さ方向寸法Ｌ３、Ｌ４より小さい。本実施形態では、第１の部分３におけるブロック体Ａ’の長さ方向寸法Ｌ５は、凹部の長さ方向寸法Ｌ３よりＬ６＝０〜３０ｍｍ小さく、第２の部分４におけるブロック体Ｂ’の長さ方向寸法Ｌ８は、凹部の長さ方向寸法Ｌ４よりＬ７＝１０〜６０ｍｍ小さい。これにより、第１の部分３は、全体として（ブロック体Ａ’が本体２１の凹部に接合された状態で）、長さ方向にＬ６＝０〜３０ｍｍ程度に窪んだ凹部３１を形成し、第２の部分４は、全体として（ブロック体Ｂ’が本体２２の凹部に接合された状態で）、長さ方向にＬ７＝１０〜６０ｍｍ程度に窪んだ凹部３２を形成する。使用時、第１の部分３と第２の部分４は、凹部３１、３２が互いに対向する位置になるように、長さ（Ｌ１、Ｌ２）方向に沿って配置される。第２実施形態では、この凹部３１、３２が、敷き寝具２０が載置される面１００と共に、使用者の呼吸を楽にする溝Ｄ２を形成する。以下、第２実施形態の構成を具体的な効果と共に説明するが、以下の説明では、主に、第１実施形態と第２実施形態の相違点について説明し、その他の部分については詳しい説明を省略する。第２実施形態は、本体２１、２２の凹部とブロック体Ａ’、Ｂ’に関する部分を除いて、第１実施形態と実質的に同様である。
［溝の形成について］
【００７２】
図６（Ａ）、（Ｂ）に示す第２実施形態の場合、第１の部分３と第２の部分４は、必ずしも互いに分離された状態で配置されなくてもよい。第１の部分３と第２の部分４が、その長手方向端面（本体２１、２２の端面を意味する）が互いに接触する程度に近接して配置されても、第１の部分３の凹部３１の長さ方向寸法Ｌ６＝０〜３０ｍｍ、第２の部分４の凹部３２の長さ方向寸法Ｌ７＝１０〜６０ｍｍによって、幅（Ｌ６＋Ｌ７）＝１０〜９０ｍｍの溝Ｄ２が形成される。第１の部分３の端面と第２の部分４の端面とが接触する程度に隣接して配置された場合、溝Ｄ２の上端は開放されているが、左右端部は実質的に閉じられた状態にある。しかし、ブロック体Ａ’、Ｂ’の幅Ｗ２、Ｗ３は、２００〜３００ｍｍ程度であり、人の顔面の幅は、一般に約１５０ｍｍ程度である。従って、使用者は、顔面と溝Ｄ２の間の空間を通じて楽に呼吸することができる。しかし、第１の部分３と第２の部分４は互いに別体であるので、所望により、第１の部分３と第２の部分４の間の距離を調整することにより溝Ｄ２の幅をＬ６＋Ｌ７よりも大きくしても良い。
【００７３】
使用者は、溝Ｄ２内に口から鼻の辺りが位置するように敷き寝具２０上に腹臥位で横たわる。溝Ｄ２の長さ（Ｗ２、Ｗ３と等しい）のため、使用者は、顔を真下または斜め下、等自由に角度を変えても、鼻が塞がれて呼吸が妨げられることがない。使用者は、顔面と溝Ｄ２の間の空間を通じて楽に呼吸できるので、顔面を９０度横に向ける必要がなく、長時間の腹臥位姿勢を容易に維持できる。鼻の位置する空間が溝Ｄ２となる為、呼吸の空気の流れが良く、空気が滞留することがなく、自然な呼吸ができる。さらに、顔の角度位置を変えることは、一種の寝返り行動であるため、使用者は、長時間顔の位置が固定されることがなく、快適に腹臥位姿勢を維持できる。
［硬度及び反発弾性率について］
【００７４】
本体２１、２２の硬度及びブロック体Ａ’、Ｂ’の硬度または反発弾性率については、第１実施形態と同様である。このような低硬度または低反発性の材料をブロック体Ａ’、Ｂ’に用いることにより、顔面に接する敷き寝具面（Ａ’，Ｂ’）の顔への当たりが柔らかく、適度な沈み込み量が得られ、従って、顔面との接触面積が大きくなり圧力も少なく、快適な腹臥位姿勢が維持できる。また、本体２１、２２の硬度を１００Ｎ以上に設定することによって、寝具の沈み込みが抑制され、正しい寝姿勢を維持し易く、且つ、体位変換もし易い。
【００７５】
溝Ｄ２を形成する面は低反発性または軟質材料（反発弾性率３０％未満又は硬度１００Ｎ未満）の切り口面、すなわち、ブロック体の端部に位置する面であるので、ブロック体
の中央部と比べて小さな圧力で沈み込む。このため、ブロックの端（溝面）に鼻、口（歯）が位置しても、容易に顔面構造に添って凹み、使用者は快適に過ごすことができる。
【００７６】
尚、第２の実施形態では、第１の部分３と第２の部分４が、それぞれ、顔面接触部とその他の部分とで硬度または反発弾性率の異なる本体２１、２２とブロック体Ａ’、Ｂ’を備える構成であった。しかし、これに代えて、第１の部分３と第２の部分４は、一様な硬度または反発弾性率を有していてもよい。この場合、図７（Ａ）、（Ｂ）に示すように、第１の部分３と第２の部分４は、ブロック体Ａ’、Ｂ’を有さず、単に凹部３１、３２を有する本体２１、２２のみによって形成される。この場合でも、凹部３１と凹部３２が互いに対向する位置にあるように本体２１、２２を配置することによって、溝Ｄ２を形成することができ、使用者は腹臥位でも顔面を９０度横に傾けることなく、溝Ｄ２を通じて楽に呼吸することができる。しかし、第１の部分３と第２の部分４の少なくとも上面が、１００Ｎ未満の軟らかい材質または３０％未満の反発弾性率を有する低反発性材料、特にウレタンフォームであると好ましい。この場合、顔面との接触面積を大きくして圧力を小さくできるだけでなく、さらに褥瘡予防敷き寝具としての機能を付与することができる。
【００７７】
又、第１実施形態のブロック体Ａ、Ｂと同様に、ブロック体Ａ’、Ｂ’は、それぞれ、異質の材料から成る多層構造を有していてもよく、例えば、上層と下層を有することができる。
［使用状態］
【００７８】
第２実施形態の敷き寝具２０は、第１実施形態のように、第１の部分３と第２の部分４が別個の外皮にそれぞれ挿入されていてもよいが、図８（Ａ）〜（Ｃ）、図９に示すように、第１の部分３と第２の部分４は、部分的に縫合された一連の外皮２３に挿入されてもよい。尚、理解の容易のため、図８（Ａ）の平面図では、第１の部分３と第２の部分４の外形を破線で示している。外皮２３は、縫合線２４を介して互いに連結された袋状部分２３a、２３ｂを備えている。袋状部分２３a、２３ｂの、縫合線２４と反対側の端部は、使用前は開放されている。
【００７９】
使用時、第１の部分３と第２の部分４は、それぞれ、対応する袋状部分２３ａ、２３ｂの開放端から外皮２３の内部に挿入されるが、このとき、外皮２３の内側で、第１の部分３と第２の部分４の互いに対向する長手方向端面（本体２１、２２の端面）の下縁部が、縫合線２４に沿うように位置決めされる。敷き寝具２０が挿入された後の袋状部分２３ａ、２３ｂの開放端は、折り曲げ、縫合、ファスナー等によって閉じることができる。
【００８０】
敷き寝具２０が挿入された状態で、外皮２３の袋状部分２３ａ、２３ｂの上面は、凹部３１、３２に対応する位置で溝Ｄ２内に落ち込み、袋状部分２３ａ、２３ｂの間に溝Ｄ２に対応する空間が形成される。使用者はこの空間を介して呼吸できる。外皮２３の下面には縫合線２４が位置し、袋状部分２３ａ、２３ｂはこの縫合線２４で連結されている。即ち、袋状部分２３ａ、２３ｂの境界部の、縫合線２４を除く部分は互いに分離可能である。
［第１の部分の長さについて］
【００８１】
尚、第１、第２実施形態では、第１の部分１、３について、ブロック体Ａ、Ａ’が形成されていることを除いては、長さ方向に一体的な単一部材として説明してきたが、図１０（Ａ）、（Ｂ）に示すように、第１の部分１、３は、長さＬ１ａ、Ｌ１ｂを有するように、長さ方向に２分割されていてもよい。尚、図１０（Ａ）、（Ｂ）では、第１実施形態の敷き寝具１０（ただし、外皮１’、２’に包まれている）の場合を例示する。この場合、図２（Ａ）〜（Ｃ）、図３に関して説明したようなマジックテープ（登録商標）の付いた紐等の連結部材を、分割された２つの部分の裏面の左右端部に設けてもよい。また、第１
の部分１、３は、長さＬ１ｅ、Ｌ１ｆ、Ｌ１ｇを有するように長さ方向に３分割されていてもよい。このとき、図６（Ａ）、（Ｂ）等に示す第２実施形態の敷き寝具２０の場合には、例えば、図１２（Ａ）〜（Ｃ）及び図１３に示すように、４つの袋状部分からなる単一の外皮２５に、第１の部分３の分割された３つの部分と第２の部分４を、それぞれ、挿入し、全体として四つ折り可能な敷き寝具を形成してもよい。この場合、外皮２５の各袋状部分は、上述の外皮２３と同様に、縫合線によって互いに連結されている。これらの縫合線は、図１２（Ａ）及び図１３において、一点鎖線で示される。破線は、外皮２５に挿入された敷き寝具２０の外形を示す。尚、外皮２５の各袋状部分の境界部は、縫合線の部分を除いて互いに分離可能である。
【００８２】
さらに、図１１に示すように、第１の部分１、３の長さＬ１を、使用者の足首からつま先が敷き寝具１０、２０の外に出るような長さに設定しても良い。この場合、足首からつま先部分に加わる圧力をなくし、より快適な腹臥位姿勢を可能にする。このとき、第１の部分１、３を、長さＬ１ｃを有する胴部と長さＬ１ｄを有する脚部に分割し、第２の部分２、４の長さＬ２と胴部の長さＬ１ｃを一定とし、脚部の長さＬ１ｄを変えて身長の異なる使用者に適合させることができる。身長差に対応するために、脚部の長さＬ１ｄを数種類用意するとよい。尚、図１１は、第１実施形態の敷き寝具１０（外皮１’、２’に包まれている）に上記構成を適用した場合を示している。
［第３実施形態］
【００８３】
本発明の第３実施形態によれば、第１、第２実施形態の敷き寝具１０、２０と共に、または通常の敷き寝具と共に用いることができる、腹臥位補助マットが提供される。特に、第１、第２実施形態の敷き寝具１０、２０は、これだけで十分に快適な腹臥位姿勢を維持するのに効果的であるが、第３実施形態の腹臥位補助マットを併せて用いることにより、さらに快適な腹臥位を維持することができる。
【００８４】
上記「うつぶせ寝健康法」（日野原重明監修、川島みどり、丸川征四郎著  ＫＫベストセラーズ、２００６年６月２日発行）によれば、快適なうつ伏せ寝のコツとして、敷き寝具と身体の隙間に枕やクッションなどの小道具を差し込むことが提案されている。
【００８５】
選んだ小道具が最適であるかの判断は難しく、枕やクッションの大きさや厚さ、硬さ、形状等は様々であり、最適なものを選ぶのは難しい。本実施形態では、一般に理想的とされる腹臥位姿勢を維持するのに適した、腹臥位補助マットが提供される。
【００８６】
理想的な腹臥位姿勢は、胸椎と頚椎との間に形成される角度が約１５度程度で両肩を落とした、大仏のような姿勢であると言われている。この姿勢で人は最も安楽な寝姿勢でいられる。
【００８７】
図１４（Ａ）〜（Ｄ）に本実施形態による腹臥位補助マット６０を示す。（Ａ）は平面図、（Ｂ）は側面図、（Ｃ）及び（Ｄ）は長さ方向（図１４（Ａ）のＬ９〜Ｌ１１に沿った方向）から見た端面図である。
【００８８】
図１４（Ａ）〜（Ｄ）において、本実施形態の腹臥位補助マット６０は、軟質発泡樹脂体から形成されており、第１の部分Ｄ、Ｅと、第１の部分よりも低い硬度、または低反発弾性率を有する第２の部分Ｃとを備える。第１の部分は、第１支持部Ｅと第２支持部Ｄを備え、腹臥位姿勢にある使用者の頚椎と胸椎の間の角度を維持するように、第１支持部Ｅは使用者のオトガイ部を支持するようになされており、第２支持部Ｄは使用者の鎖骨付近を支持するようになされており、第２の部分Ｃは、第２支持部Ｄから連続的に延びて、第２支持部Ｄと共に、使用者の胸部から腹部にかけて接触するようになされている。尚、場合によってオトガイ接触部Ｆが第１支持部Ｅ上に設けられるが、これについては後述する。
【００８９】
図１４（Ａ）〜（Ｄ）の腹臥位補助マット６０において、幅Ｗ４は人の平均的な胸部横径に設定される。人の平均的な胸部横径は、男子で約２９０ｍｍ、女子で約２６５ｍｍであるため、２５０〜３３０ｍｍ程度が、一般的な男女に広く適用できる点で好ましい。しかし上記寸法は、スポーツ選手などについてはこの限りではない。
【００９０】
胸椎と頚椎との間の理想的な角度（約１５度）を維持するため、使用者の鎖骨付近に接触する第２支持部Ｄの高さ（換言すれば、厚さ）Ｈ２は、約４０〜１００ｍｍ程度にされ、使用者のオトガイ部（あごの先）を支持する第１支持部Ｅの高さ（換言すれば、厚さ）Ｈ４は、約２０〜６０ｍｍ程度にされることが好ましい。ただし、第１支持部Ｅの高さＨ４は、第１支持部Ｅの硬さによって変化し得る。また、第２の部分Ｃの高さ（換言すれば、厚さ）は、第２支持部Ｄの高さと等しいことが好ましい。従って、本実施形態では、約４０〜１００ｍｍ程度が好ましい。
【００９１】
第２の部分Ｃは、ウレタンフォームであれば、反発弾性率３０％未満又は硬度１００Ｎ未満であることが好ましい。５％〜２０％の反発弾性率または４０Ｎ以上１００Ｎ未満の硬度を有しているとさらに好ましい。これにより、第２の部分Ｃは、使用者の胸部に柔らかくフィットし、胸の空間を埋めるように作用することができる。第２支持部Ｄは使用者の鎖骨付近に位置し、胸部の高さを保持する機能がある。従って、硬度約１５０Ｎ〜５００Ｎの発泡樹脂体であることが好ましい。このように比較的高い硬度でも、鎖骨付近は骨が太く、圧力に強いため、使用時に違和感は生じない。
【００９２】
第１支持部Ｅは、第２支持部Ｄと同様に約１５０Ｎ〜５００Ｎの発泡樹脂体で形成することができる。しかし、第１支持部Ｅの硬度が２００Ｎ以上であると、人によっては、オトガイ部（あごの先）が第１支持部Ｅに接触したとき違和感を感じることがある。その場合は、反発弾性率３０％未満の低反発ウレタン又は硬度１００Ｎ未満の軟質素材をオトガイ接触部Ｆとして第１支持部Ｅ上に置き、これにオトガイ部（あごの先）を載せると、第１支持部Ｅが硬くても、オトガイへの感触は良くなり、違和感を緩和することができる。しかし、オトガイ接触部Ｆは、オトガイへの感触を良くする為のものであり、あごの高さ維持のためには必ずしも必要ではない。
【００９３】
使用者のオトガイを載せるためのオトガイ接触部Ｆの高さ（厚さ）Ｈ３は、（Ｈ２−Ｈ４）以下でよいが、これには限られない。しかし、オトガイ（あごの先）が安定して載るように、オトガイ接触部Ｆの先端（第２の部分Ｃに対して反対側の端部）を、予め、圧縮して押しつぶしておくとよい（図１５（Ａ）〜（Ｃ）参照）。オトガイ接触部Ｆが存在しても、使用時の使用者のオトガイの高さは、オトガイ接触部Ｆが低反発ウレタン又は柔らかい材質の為、実質的に、第１支持部Ｅの高さＨ４になる。
【００９４】
オトガイを支持する第１支持部Ｅの長さＬ１１は約３０〜８０ｍｍが好ましいが、オトガイを載せるために十分な面積が確保できれば、これには限られない。鎖骨付近の胸部の高さを維持する第２支持部Ｄの長さＬ１０は約５０〜８０ｍｍが好ましく、第２の部分Ｃの長さＬ９は、末端（第１支持部Ｅに対して反対側）が使用者の肋骨を少し出る程度で、通常、約１００〜３００ｍｍ程度に設定される。尚、第１支持部Ｅと第２支持部Ｄは、一体的に形成されていてもよく、互いに別体であってもよい。また、別体である場合、製造上の理由等により、両者の境界は図示される位置に限られない。例えば、第１支持部Ｅが第２支持部Ｄの下方に位置するように形成しても良い（図１９及び図２０の第１支持部Ｅ’を参照）。この場合、第２支持部Ｄの厚さがＨ２から（Ｈ２−Ｈ４）に変更され、第１支持部Ｅの長さがＬ１１から（Ｌ１０＋Ｌ１１）に変更される。
【００９５】
腹臥位補助マット６０の幅Ｗ４を人の胸部横径程度に設定し、鎖骨付近をＨ２の高さ（４０〜１００ｍｍ程度）に維持すると、腹臥位で寝たとき両肩が落ち、上記した理想的な腹臥位姿勢、即ち、大仏のような姿勢に近づく。さらに、頚椎と胸椎の間の角度が約１５度に保持されるとさらに理想的な腹臥位姿勢に近づくが、これは以下のようにして実現される。
【００９６】
第１または第２実施形態の敷き寝具１０、２０では、顔面が真下（０度）を向いた状態で顔面を敷き寝具と平行にすると、顔面は、硬度１００Ｎ未満または反発弾性率３０％未満のブロック体に沈み込むが、この場合の頚椎と胸椎の角度は、理想的な１５度よりも浅くなる。しかし、第３実施形態の腹臥位補助マット６０を用いると、あごの位置が第１支持部Ｅによって高く保持される。硬度１００Ｎ未満または反発弾性率３０％未満のオトガイ接触部Ｆにオトガイを載せても、オトガイ接触部Ｆの下の第１支持部Ｅは、硬いので沈み込まない（尚、腹臥位補助マット６０は、その大部分が本体１１、２１上に位置するため、第１支持部Ｅが軟質または低反発性のブロック体Ａ、Ａ’上に位置しても、これに大きく沈み込むことはない。また、ブロック体Ａ、Ａ’上においても、腹臥位補助マット６０の材料の厚みで力は分散され、さらに、ブロック体Ａ、Ａ’との接触面積に比例して圧力が分散され、負荷は減少する。）この為、あごの位置が高い状態で額が寝具（ブロック体Ｂ、Ｂ’）に接触する。このとき、鎖骨付近は第２支持部Ｄによって高さが維持されているので、頚椎と胸椎の間の角度を理想的な１５度またはそれに近い角度にすることができる。第２の部分Ｃは、鎖骨下の胸部に接し、低反発性材料（反発弾性率３０％未満）又は柔らかい材質（硬度１００Ｎ未満）であるので胸部の隙間を埋め、特に女性の乳房の凹凸も吸収して、理想的な腹臥位姿勢を保持できる。
【００９７】
また、オトガイが直接、またはオトガイ接触部Ｆを介して、第１支持部Ｅに載せられると、歯茎に圧力がかからない状態で腹臥位になることができる。従って、長時間歯茎に圧力が掛かることにより歯に悪影響が及ぼされることがない。本実施形態の腹臥位補助マット６０は歯への圧力を軽減し、長時間の快適な腹臥位姿勢維持を可能にするという効果もある。
【００９８】
腹臥位補助マット６０の、特に第２の部分Ｃに関する効果を説明するため、座布団、枕、クッション等の従来の小道具５０を用いた通常の敷き寝具２００における腹臥位姿勢の例を、図１６に概略的に示す。従来、腹臥位姿勢で睡眠する際、図１６に示すような寝姿勢で小道具５０が使用される場合がある。図１６の例では、身体の右側を敷き寝具２００に接触させ、左側で小道具５０を挟み込んでいる。
【００９９】
図１７は、図１６の小道具５０の使用状態をさらに説明するために、使用者の頭部及び胸部付近を小道具５０と共に、使用者の頭部側から示した図である。図１７の例では、使用者から見て左側で、クッション５０等が身体の下に置かれている。図示の状態では、使用者は、使用者から見て右側の敷き寝具２００上面と、左側のクッション５０等の上面から圧力を受ける。身体は左右の接触部の間でブリッジ状態になり、安定感に欠ける。
【０１００】
長時間の睡眠では人は自然に寝返りするものであるが、図１７の状態から左右の手と足の位置を変え、体位変換して対照的な姿勢になろうとすると、小道具５０も左右に入れ替えることが必要になる。無意識の状態でこのような体位変換を行うことは非常に困難である。
【０１０１】
従来の小道具５０に代えて、第３実施形態の腹臥位補助マット６０を使用し、図１６と同様の寝姿勢（左腕は胴部から離れた前方位置におかれ、左脚は身体を持ち上げるように腹部に向けて折り曲げられている）をとると、第２の部分Ｃが使用者の胸部から腹部にかけての体圧で沈み込み、一方、第１の部分Ｄ、Ｅは使用前の高さを実質的に維持するので、腹臥位補助マット６０は、全体に楔のように身体と敷き寝具２００の間に食い込む。これにより、従来の小道具５０と比較して身体との接触面積が広くなり、体圧分散が行われ
る。身体が、図１７に示すようなブリッジ状態になることもない。これにより、快適で安定した腹臥位姿勢になることができる。この効果は、腹臥位補助マット６０を、本体１、２１が通常の敷き寝具と同等の硬度を有する第１、第２実施形態の敷き寝具１０、２０で用いた場合でも変わらない。
【０１０２】
図１８は、図１７に対応する、本実施形態の腹臥位補助マット６０の使用状態を説明する図である。図１８では、身体の左側（図１８の右側）が大きく開き、一見、不安定のように見えるが、図１６に示すように、左腕は胴部から離れた前方位置におかれ、左脚は身体を持ち上げるように腹部に向けて折り曲げられて身体を支える位置にあるため、非常に安定した姿勢である。
【０１０３】
図１６に示すような手足を折り曲げた姿勢ではなく、水平な腹臥位姿勢（使用者の頭側から見た場合に胸部付近が水平である腹臥位姿勢）で用いることもできる。この場合、胸部全体の凹凸の間隙が第２の部分Ｃで埋められ、快適な腹臥位補助具となる。又、上記したように、頚椎と胸椎の角度が約１５度で両肩が落ちた、理想的な腹臥位姿勢を維持しやすい。
【０１０４】
図１６とは反対に右腕を胴部から離れた位置で折り曲げ、右脚の膝を腹部の方に折り曲げると、腹臥位補助マット６０を移動させなくても、図１８に対して左右対照的な位置をとることができ、安定した腹臥位姿勢を維持できる。このように、本実施形態の腹臥位補助マット６０は、一般的なクッション等の小道具５０と異なり、左右の寝返りをしても入れ替え（差し替え）などする必要がない。寝返りのたびに差し替える必要がない本実施形態の腹臥位補助マット６０は、特に、筋肉の拘縮をされている人、身体の弱い人にとって有用である。
【０１０５】
尚、健常者は本実施形態の腹臥位補助マット６０を用いることなく、第１または第２実施形態の敷き寝具１０、２０のみで、手足の位置により胸部の角度を変えることができ、顔面（頭部）の角度も変えることができ、快適な腹臥位姿勢をとることができる。しかし、本実施形態の腹臥位補助マット６０を用いることにより、頚椎と胸椎の理想的な角度が保持され、且つ、胸部から腹部にかけての全体が寝具にフィットする、より安楽な腹臥位姿勢をとることができる。
【０１０６】
図１９は、図１４に示す腹臥位補助マット６０のさらなる変形例を示し、図１４に示すものと実質的に同一である要素は、同一の参照符号で示されている。図１９（Ａ）は平面図、（Ｂ）は（Ａ）のＹ４−Ｙ４線に沿って見た断面図、（Ｃ）及び（Ｄ）は、長さ方向から見た端面図である。図１９に示す腹臥位補助マット６１は、主に、第２支持部Ｄ’の形状が図１４の腹臥位補助マット６０の第２支持部Ｄとは異なっている。尚、腹臥位補助マット６０と同様に、使用者のオトガイ部を支持する第１支持部Ｅ’と使用者の鎖骨付近を支持する第２支持部Ｄ’は、互いに別体であるが、腹臥位補助マット６１では、製造上の理由から、第１支持部Ｅ’は、第２支持部Ｄ’の下方まで延びている。これにより、第１支持部Ｅ’の上面の一部が、オトガイ支持面Ｅ１を構成している。
【０１０７】
図１９の腹臥位補助マット６１では、第２支持部Ｄ’の、第１支持部Ｅ’側の長さ方向端面（換言すれば、オトガイ支持面Ｅ１に隣接する又は使用者の頭部側に位置する、長さ方向端面）には、腹臥位補助マット６１の長さ方向に窪んだ凹部Ｇが形成されている。凹部Ｇは、第２支持部Ｄ’の上面に開口しており、これにより、腹臥位姿勢にある使用者の咽喉の付け根付近が圧迫されることを防止することができ、使用者は、より快適な腹臥位姿勢を長時間維持できる。従って、凹部Ｇは、第２支持部Ｄ’の幅方向に対して実質的に中央に位置決めされており、使用者の咽喉の付け根付近が、実質的に第２支持部Ｄ’に接触しない程度の平面寸法及び第２支持部Ｄ’の上面からの深さを有することが好ましい。さらに、体圧分散の目的から、凹部Ｇの平面寸法は、使用者と第２支持部Ｄ’との望ましい接触面積が確保できるように、必要以上に大きくされないことが好ましい。本実施形態では、凹部Ｇは、平面形状が略Ｖ字形の切欠きの形態を有し、第２支持部Ｄ’を厚さ方向に貫通している。尚、図１９の例では、図１４に示すようなオトガイ接触部Ｆを有していない。上記したように、オトガイ接触部Ｆは、オトガイへの感触を良くするためのものであり、あごの高さ維持のためには必ずしも必要ではない。しかし、図１９のオトガイ支持面Ｅ１上にオトガイ接触部Ｆを設けていてもよい。
【０１０８】
さらに、本発明の腹臥位補助マットは、腹臥位姿勢にある使用者の胸部中央から左右方向に及び／又は使用者の胸部から腹部に向けて減少する高さを有していてもよい。図２０（Ａ）乃至（Ｄ）に示す腹臥位補助マット６２は、腹臥位姿勢にある使用者の胸部中央から左右方向に及び使用者の胸部から腹部に向けて減少する高さを有している。図２０（Ａ）は平面図、（Ｂ）は（Ａ）のＹ５−Ｙ５線に沿って見た断面図、（Ｃ）及び（Ｄ）は、長さ方向から見た端面図である。また、図１９に示すものと実質的に同一である要素は、同一の参照符号で示されている。図２０に示す腹臥位補助マット６２では、図１９の腹臥位補助マット６１とは異なり、第１の部分の第２支持部Ｄ’’、及び第２の部分Ｃ’は、それぞれ、上下に重ねて配置される複数の板状部分を備えている。図２０の例では、第２支持部Ｄ’’は、２つの板状部分Ｄ’’１、Ｄ’’２から形成されている。板状部分Ｄ’’１、Ｄ’’２は、幅方向に対して互いに異なる寸法を有しており、第２支持部Ｄ’’の高さが、腹臥位補助マット６２の幅方向中央部から両側に（換言すれば、腹臥位姿勢にある使用者の胸部中央から左右方向に）段階的に減少するように、第１支持部Ｅ’上に重ねられている（図示されるように、第２支持部Ｄ’’の下部に位置する板状部分Ｄ’’２の幅は、第１支持部Ｅ’の幅よりも小さくされている）。第２の部分Ｃ’は、３つの板状部分Ｃ’１、Ｃ’２、Ｃ’３から形成されている。板状部分Ｃ’１、Ｃ’２、Ｃ’３は、幅方向及び長さ方向に対して互いに異なる寸法を有しており、第２の部分Ｃ’の高さが、腹臥位補助マット６２の幅方向中央部から両側に向けて（換言すれば、腹臥位姿勢にある使用者の胸部中央から左右方向に）段階的に減少すると共に腹臥位補助マット６２の長さ方向に（換言すれば、使用者の胸部から腹部に向けて）段階的に減少するように、上下に重ねられている。板状部分Ｄ’’１、板状部分Ｄ’’２、第１支持部Ｅ’は、それぞれ、板状部分Ｃ’１、板状部分Ｃ’２、板状部分Ｃ’３と同一の厚さを有しており、それぞれ、板状部分Ｃ’１、板状部分Ｃ’２、板状部分Ｃ’３と長さ方向端面で接合されている。
【０１０９】
第２支持部Ｄ’’及び第２の部分Ｃ’を構成する板状部分の数は特に限られない。腹臥位補助マット６２の高さを段階的に減少させることにより、腹臥位姿勢にある使用者の身体を腹臥位補助マットによりフィットさせ、自然な腹臥位姿勢を維持することができる。尚、第２支持部Ｄ’’及び第２の部分Ｃ’は、それぞれ、互いに別体の板状部分から形成されていなくてもよく、上記のような段階的に減少する高さを有する、単一部材であってもよい。また、上記変形例では、腹臥位補助マット６２の高さは、複数の板状部分によって段階的に減少させられているが、腹臥位補助マット６２は、一定の傾きで連続的に減少する高さを有する、例えば、全体に角錐台形状の形態を有していてもよい。
［第４実施形態］
【０１１０】
さらに本発明によれば、眼科手術後の腹臥位になるときに好適な、目の保護をするアイマスクが提供される。第１実施形態、第２実施形態の敷き寝具１０、２０では、ブロック体Ｂ、Ｂ’上面の接触面が柔らかく、又、顔面の傾きのために目の部分は接触面と斜めに接するため、健常者の場合は、目の部分がブロック体Ｂ、Ｂ’に接触しても悪影響はない。しかし、目の術後の人が第１、第２実施形態の敷き寝具を使用する場合には、目に圧力がかからないように、本実施形態のアイマスクを使用することが有用である。
【０１１１】
図２１（Ａ）〜（Ｃ）及び図２２に、第４実施形態のアイマスク７０を示す。図２１（Ａ）は平面図、（Ｂ）は、アイマスク７０を、（Ａ）の下側（使用者の顎側）から見た側面図、（Ｃ）は左右端面図、図２２は、図２１（Ａ）のＺ１−Ｚ１線に沿った断面図である。本実施形態のアイマスク７０は、特に、第１、第２実施形態の敷き寝具１０、２０と共に好適に用いることができる。アイマスク７０は、所定の厚みＨ５を有しており、使用者の目を保護する眼帯を受け入れるための第１の空間７１と、使用者の鼻を受け入れる、第１の空間から連続的に形成された第２の空間７２とを備えている。
【０１１２】
アイマスク７０は、使用者の眼帯の上から装着または使用することができる。厚さＨ５は、アイマスク７０を装着または使用し、ブロック体Ｂ、Ｂ’に顔面を載せた時に眼帯にブロックＢ、Ｂ’が当接して圧力が掛からないようにするために十分な厚みがあれば良く、アイマスク７０の材質（例えば、ブロック体Ｂ、Ｂ’と同様の低反発性または硬度１００Ｎ未満の軟質樹脂）の硬さにより変わり得るが、一般に、約３０ｍｍ〜８０ｍｍである。図２２に示すように、厚さＨ５は三層構造とすることができ、厚さ方向に沿った中央層７３と中央層７３の上下に位置する上層及び下層７４は、実質的に同一の硬度を有していても、互いに異なる硬度を有していても良いが、硬度の範囲は、６０Ｎ〜５００Ｎ（ＪＩＳ  Ｋ６４００−２）に設定される。三層構造のうち、上層及び下層７４には、空間７５が設けられている。この空間７５はアイマスク７０を装着または使用して腹臥位になった使用者の、健康な眼球への圧力を避ける為である。これにより、アイマスク７０の上下いずれの面も、顔面と接触する面にすることができる。三層構造にした場合は、例えば、空間７５の存在によって異なる外形を有する中央層７３と上層、下層７４を別個に成形した後、互いに接合することにより、アイマスク７０を製造することができる。しかし、アイマスク７０は、例えば、均一な硬度を有する単層構造にしてもよい。左右方向の長さＬ１２は顔面が幅方向に充分に覆われる程度に決められ、２５０ｍｍ以上５００ｍｍ以下が好ましい。上下方向の幅W５は、約１００ｍｍ〜２５０ｍｍに設定することができる。
【０１１３】
ただし、上下部分７４の硬度が６０Ｎ〜１５０Ｎである場合は、空間７５は形成しなくてもよい。
【０１１４】
空間７１の位置及び寸法は、使用者の眼帯をした目を受け入れるのに十分であればよいが、図２１（Ａ）に示されるように、例えば、長さＬ１５＝１００ｍｍ、幅Ｗ６＝８０ｍｍの平面寸法を有する空間７１を、アイマスク７０の上端からの距離Ｗ７＝４５ｍｍの位置に形成することができる。また、空間７２の位置及び寸法は、使用者の鼻を受け入れるのに十分であればよいが、例えば、空間７１から始まって、アイマスク７０の長さ方向中央から左右方向に距離Ｌ１３＝３０ｍｍ、Ｌ１４＝５０ｍｍの位置まで延びるように形成することができる。
【０１１５】
図２３にアイマスク７０の装着状態の例を概略的に示し、図２４に、アイマスク７０を装着した使用者が、第１実施形態の敷き寝具１０に腹臥位で横たわったときの状態を概略的に示す。図２３に示すように空間７１内に受け入れられた眼帯９０をした手術後の目は、図２４に示すように、アイマスク７０の厚さＨ５によってブロック体Ｂとの接触から保護される。空間７２には鼻９１が受け入れられ、これにより、アイマスク７０で呼吸が妨げられることを防止することができる。さらに、空間７５の位置に正常な眼が位置するようにアイマスク７０を顔面に対して位置決めし、２本のマジックテープ（登録商標）８１をつけた紐８０等で顔面（頭部）に固定し、使用する。
【０１１６】
しかし、アイマスク７０を顔面に固定するための紐８０等は、必ずしも設ける必要はない。アイマスク７０は、紐８０等の固定手段を使用することなく、単に敷き寝具１０、２０のブロック体Ｂ、Ｂ’上に置いて使用することもできる。
【０１１７】
尚、図２１（Ａ）〜図２３では、空間７１は、平面形状が略正方形に示されているが、他の形状であっても良い。また、空間７２の形状も図示されるものに限られない。さらに、アイマスク７０の外形も、図示される略矩形状ではなく、湾曲部を有する他の平面形状であってよい。
【０１１８】
第１、第２実施形態の敷き寝具１０、２０は、アイマスク７０の使用を考慮して、第２の部分２、２２の厚さ（高さ）が、第１の部分１、２１の厚さ（高さ）より小さくされてもよい。即ち、図２４に示すように、第２の部分の厚さ（高さ）は、アイマスク７０の所定の厚さＨ５に相当する分だけ、Ｈ１より小さくされてよい。
【０１１９】
図２５及び図２６にアイマスク７０の変形例を示す。図２１に示すものと実質的に同一である要素は、同一の参照符号で示されている。図２５（Ａ）は、アイマスク８０の平面図、（Ｂ）は、アイマスク８０を、（Ａ）の下側から見た側面図、（Ｃ）は、左右端面図、図２６は、（Ａ）のＺ２−Ｚ２線に沿った断面図である。図２５及び図２６の変形例に示すアイマスク８０は、図２２に示すような中央層７３を有しておらず、これにより、上層及び下層７４は、連続して、単一の層７７を形成し、上層及び下層７４に設けられていた空間７５は、互いに連通して、単一の空間７６を形成している点が、アイマスク７０と異なっている（特に図２６を参照）。
【０１２０】
上記したように、本発明のアイマスクの厚さは、眼帯に圧力が掛からないようにするため、一般に約３０ｍｍ〜８０ｍｍである。しかし、使用者の目を保護するための高さが必要である一方で、顔面の高さを低くして理想的な腹臥位姿勢を維持するために、アイマスクは薄い方が好ましい。アイマスク７０では、空間７５を備える上層及び下層７４の間に設けられる中央層７３は、アイマスク７０の強度を増す効果がある。しかし、図２６のように中央層７３を省略することにより、アイマスク８０の厚さを小さくしてもよい（Ｈ６  <  Ｈ５）。この場合、上記したように、中央層７３の上下に位置する上層及び下層７４は、連続して、単一の層７７を形成することとなり、上層及び下層７４に設けられていた空間７５は、互いに連通して、単一の空間７６を形成する。アイマスク８０を介してブロック体Ｂ、Ｂ’に顔面を載せた時に眼帯にブロック体Ｂ、Ｂ’が当接しないようにするためには、通常、アイマスク８０の厚さは、アイマスク８０の材質の硬さにより変わり得るが、低反発性または硬度１００Ｎ未満の軟質樹脂である場合、約６０ｍｍ以上であることが好ましい。中央層７３を省略することにより、眼帯をした目を保護するために必要な厚さを確保しつつ、アイマスクの厚さをできるだけ薄くすることができる。
【０１２１】
また、アイマスク８０における、使用者の健常な目（換言すれば、眼帯を装着していない目）を受け入れる空間７６は、アイマスク８０を厚さ方向に貫通しているため、健常な目が中央層７３に接触して圧迫されるおそれを完全に防止できる。
［第５実施形態］
【０１２２】
さらに、本発明によれば、目の健常者が使用する、腹臥位姿勢の使用者の顔面を支持する腹臥位用枕が提供される。
【０１２３】
図２７及び図２８に本実施形態の腹臥位用枕の例を示す。図２７（Ａ）は腹臥位用枕３００の平面図、（Ｂ）は（Ａ）の下側（使用者の顎側）から見た側面図、（Ｃ）は左右端面図、図２８は、図２７（Ａ）のＺ３−Ｚ３線に沿った断面図である。本実施形態の腹臥位用枕３００は、通常の枕と同程度の長さ（Ｌ１６＝約３００ｍｍ以上）と、約１５０ｍｍ〜３００ｍｍ程度の幅（Ｗ９）を有し、従来の敷き寝具または第１、第２実施形態の敷き寝具１０、２０上で用いることができるものである。腹臥位用枕３００は、使用者の顔面を支持する少なくとも一つの支持面３０１に、一対の穴部３０２を有している。図示の例では、各穴部３０２は、腹臥位用枕３００の厚さ（Ｈ７）方向に凹んだ溝の形態を有しており、腹臥位姿勢の使用者の両目に対応する位置に形成されている。換言すれば、一対の穴部３０２は、支持面３０１に、一般的な使用者の左右の目と目の間の距離（または瞳孔間距離）に対応する間隔をおいて形成され、これにより、腹臥位姿勢にある使用者の両目の眼球が、支持面３０１によって圧迫されることを防止することができる。この目的から、穴部３０２の深さは、腹臥位姿勢にある使用者の両目の眼球が、穴部（図の例では溝）３０２の底部によって圧迫されないように、好ましくは、穴部（溝）３０２の底部に全く接触しないように決められる。
【０１２４】
従来の腹臥位用枕の多くは、使用者の頭部と枕との接触部が額のみにあるが、本実施形態の腹臥位用枕３００では、一対の穴部３０２が互いに独立して設けられており、穴部３０２の間には、支持面３０１が存在する。従って、目の周りを含む頭蓋骨と接触することができるため、使用者の頭部と枕との接触部が額のみにある従来の腹臥位用枕と比較して、頭部の接触面積が著しく大きくなる。これにより、頭部の圧力が分散され、使用者は、長時間、より快適に腹臥位姿勢を保持することができる。
【０１２５】
尚、上記の例では、一対の穴部３０２は、腹臥位用枕３００の一方の支持面３０１にのみ形成されているが、支持面３０１に対向する他方の支持面（符号省略）に同様の一対の穴部３０２を形成することもできる。さらに、各穴部３０２は一方の支持面３０１から他方の支持面にかけて、腹臥位用枕３００の厚さ方向に、腹臥位用枕３００を貫通して延びていてもよい。そのような貫通穴としての穴部３０２は、打ち抜き加工により容易に製造することができる。
【０１２６】
さらに、腹臥位用枕３００は、図２７（Ａ）における下方（使用者の顎側）に開口する切欠き３０３を有している。切欠き３０３は、使用者の鼻を受け入れることができる位置に形成されている。これにより、腹臥位姿勢にある使用者の鼻が腹臥位用枕３００によって圧迫されることがなく、従って、使用者は、顔面を９０度横に傾けることなく、真下又は斜め下等に向けたまま楽に呼吸することができる。さらに、図２７の例では、切欠き３０３は、切り口面（図２７（Ａ）において、切欠き３０３を形成する、腹臥位用枕３００の下側の面）によって腹臥位姿勢にある使用者の口周辺及び頬が圧迫されないような平面寸法（一例として、Ｌ１７＝Ｌ１８＝約１００ｍｍ程度）に形成されている。さらに、図２７に示されるように、腹臥位用枕３００は、使用者の顎の部分を支持する面を有していない。顎の支持面を有しないことにより、呼吸のための空間を大きくし且つ使用者の歯根にかかる圧力を軽減することができる。さらに、上記実施形態の腹臥位補助マット６０、６１、６２と併用すれば、腹臥位補助マットの第１支持部Ｅ、Ｅ’によってオトガイ部が支持され、腹臥位時の使用者の胸椎と頚椎との間の角度を理想的な角度に維持することができる。
【０１２７】
腹臥位用枕３００の材質は、使用者の頭部に柔らかくフィットし、大きな接触面積により圧力を分散させるように、３０％未満の反発弾性率を有する又は１００Ｎ未満の硬度を有する軟質樹脂であることが好ましい。
【０１２８】
腹臥位用枕３００の厚さＨ７（敷き寝具上面からの高さ）は、約４０ｍｍ〜１２０ｍｍに設定されることが好ましい。さらに、上記したように、あごの位置を高くして腹臥位時の使用者の胸椎と頚椎との間の角度を最適な値（約１５度）に近づけるように、本実施形態の腹臥位用枕３００は、腹臥位補助マット６０、６１、６２と併用することが好ましい。腹臥位補助マット６０等と併用することにより、体型の個人差による胸椎と頚椎との間の角度調整が容易になる。具体的には、所定の高さの腹臥位補助マットに対し、複数種類の厚みの腹臥位用枕３００を用意することにより、様々な体型の使用者に対応できる。例えば、標準体型の男子に腹臥位補助マット６０を単独で用いる場合に、第２支持部Ｄの高さＨ２を、通常、約６０ｍｍに設定するのに対し、標準体型の男子に腹臥位補助マット６０と腹臥位用枕３００を併用する場合は、腹臥位用枕３００の実質沈み込み高さを約２０ｍｍ及び約４０ｍｍの二種類を用意しておくと体型の個人差に対応することができる。さらに、タオル等の使用により、微調整を行なうことができる。
【０１２９】
さらに、敷き寝具１０、２０上に腹臥位用枕３００と腹臥位補助マット６０、６１、６２を使用すると、敷き寝具１０、２０の有する溝Ｄ１、Ｄ２における使用者の顔面の位置が高くなり、より楽に呼吸することができる。さらに、以下のような理由により、腹臥位姿勢での睡眠中に生じるよだれ等の排出物の処理が容易になる。上記したように、敷き寝具１０、２０上で腹臥位姿勢になると、ブロック体Ａ、Ａ’、Ｂ、Ｂ’の切り口面（換言すれば、ブロック体の長さ方向端面または溝Ｄ１、Ｄ２を形成する面）を含むブロック体Ａ、Ａ’、Ｂ、Ｂ’の顔面接触部は、全体に使用者の顔面構造に沿って凹む。このとき、溝Ｄ１、Ｄ２における、ブロック体Ａ、Ａ’、Ｂ、Ｂ’の切り口面の間の空間は、使用者の鼻中央から顎の部分によってほぼ完全に埋められる。しかし、敷き寝具１０、２０上に腹臥位用枕３００及び腹臥位補助マット６０、６１、６２を載置すると、腹臥位用枕３００の支持面３０１及び腹臥位補助マット６０等の第１支持部Ｅ、Ｅ’によって、使用者の顔面の位置は全体的に少し高くなり、ブロック体Ａ、Ａ’、Ｂ、Ｂ’と顔面との間の水平方向の空間にゆとりができる。従って、使用者の鼻が溝Ｄ１、Ｄ２内に収まり、敷き寝具１０、２０の上面より下にある状態であっても、口周辺や頬が寝具によって圧迫されにくく、これにより、よだれ等の排出がされ易くなる。
【０１３０】
尚、腹臥位用枕３００は従来の平坦な敷き寝具上でも使用できるが、従来の平坦な敷き寝具には呼吸するための溝が存在しないため、呼吸するための空間を確保するために、腹臥位用枕３００及び腹臥位補助マット６０、６１、６２の高さを大きくすることが好ましい。一方、上記実施形態の敷き寝具１０、２０と使用すれば、腹臥位枕３００及び腹臥位補助マット６０、６１、６２の高さを低く抑えることができ、安定した無理のない腹臥位姿勢を維持できる。
【０１３１】
尚、図２７及び図２８に示す腹臥位用枕３００は、平面形状が実質的に矩形状に示されているが、他の平面形状、例えば略楕円形状等の、湾曲部を有する平面形状であってもよい。
【産業上の利用分野】
【０１３２】
本願発明の敷き寝具は、必要に応じて本願発明の腹臥位補助マット及び／又はアイマスク又は腹臥位用枕と共に、腹臥位療法による呼吸器疾患等の治療に好適に用いることができる。
【符号の説明】
【０１３３】
１  第１の部分
１’外皮
２  第２の部分
２’外皮
３  第１の部分
４  第２の部分
１０  敷き寝具
１１、１２  本体
Ａ、Ｂ  ブロック体
１３  連結部
１４  防水シート
２０  敷き寝具
２１、２２  本体
２３  外皮
２３ａ、２３ｂ  袋状部分
２４  縫合線
２５  外皮
３１、３２  凹部
Ａ’、Ｂ’  ブロック体
６０、６１、６２  腹臥位補助マット
Ｃ、Ｃ’  第２の部分
Ｄ、Ｄ’、Ｄ’’  第２支持部（第１の部分）
Ｃ’１〜Ｃ’３、Ｄ’’１、Ｄ’’２  板状部分
Ｅ、Ｅ’  第１支持部（第１の部分）
Ｅ１  オトガイ支持面
Ｆ  オトガイ接触部
Ｇ  凹部
５０  小道具
７０、８０  アイマスク
７１、７２  空間
７３  中央層
７４  上層、下層
７５、７６  空間
７７  単一層
８０  紐
８１  マジックテープ（登録商標）
９０  眼帯
９１  鼻
１００  床面
２００  敷き寝具
３００  腹臥位用枕
３０１  支持面
３０２  穴部
３０３  切欠き
【図１】
2010110620.tif 000003
【図２】
2010110620.tif 000004
【図３】
2010110620.tif 000005
【図４】
2010110620.tif 000006
【図５】
2010110620.tif 000007
【図６】
2010110620.tif 000008
【図７】
2010110620.tif 000009
【図８】
2010110620.tif 000010
【図９】
2010110620.tif 000011
【図１０】
2010110620.tif 000012
【図１１】
2010110620.tif 000013
【図１２】
2010110620.tif 000014
【図１３】
2010110620.tif 000015
【図１４】
2010110620.tif 000016
【図１５】
2010110620.tif 000017
【図１６】
2010110620.tif 000018
【図１７】
2010110620.tif 000019
【図１８】
2010110620.tif 000020
【図１９】
2010110620.tif 000021
【図２０】
2010110620.tif 000022
【図２１】
2010110620.tif 000023
【図２２】
2010110620.tif 000024
【図２３】
2010110620.tif 000025
【図２４】
2010110620.tif 000026
【図２５】
2010110620.tif 000027
【図２６】
2010110620.tif 000028
【図２７】
2010110620.tif 000029
【図２８】
2010110620.tif 000030